(57)【要約】  本開示の実施形態は、ＬＢＴパラメータを処理する方法、コンテンションウィンドウを調整する方法、及び関連する装置を提供する。ＬＢＴパラメータを処理する方法は、第１のステーションによって、第１のステーションがアンライセンスキャリアに対しＬＢＴを実行するために使用するパラメータを含み及び／又はＬＢＴパラメータを受け取る第２のステーションがアンライセンスキャリアに対しＬＢＴを実行するために使用するパラメータを指示するＬＢＴパラメータを生成することと、第１のステーションによって、ＬＢＴパラメータを送信することとを含む。本開示の実施形態により、隣接するステーションによるアンライセンスキャリアの競合に起因する干渉に関連する問題を解決でき、これにより、隣接するステーションによるアンライセンスキャリアの競合に起因する隣接するステーション間の干渉を回避できる。【選択図】  図２
2018536346.tif 000002
【特許請求の範囲】
【請求項１】
ＬＢＴ（Listen Before Talk：ＬＢＴ）パラメータを処理する方法であって、
第１のステーションによって、前記第１のステーションがアンライセンスキャリアに対しＬＢＴを実行するために使用するパラメータを含み及び／又はＬＢＴパラメータを受け取る第２のステーションがアンライセンスキャリアに対しＬＢＴを実行するために使用するパラメータを指示するＬＢＴパラメータを生成することと、
前記第１のステーションによって、前記ＬＢＴパラメータを送信することと、
を含む方法。
【請求項２】
請求項１において、
前記ＬＢＴパラメータは、最大コンテンションウィンドウ（ＣＷ）値、最小ＣＷ値、延長期間内のクリアチャネル評価（ＣＣＡ）の数、ランダムバックオフ値、アンライセンスキャリア情報、ＬＢＴの実行開始時間、最大送信電力、及びＣＣＡエネルギ検出閾値のうちの少なくとも１つを含む方法。
【請求項３】
請求項１において、
前記第１のステーションが前記ＬＢＴパラメータを生成した後に、
前記第１のステーションによって、前記ＬＢＴパラメータに基づいて、前記アンライセンスキャリアに対しＬＢＴを実行すること、
前記第１のステーションによって、前記第１のステーションによってスケジューリングされた前記第２のステーションに前記ＬＢＴパラメータを送信すること、又は
前記第１のステーションによって、１つのサブフレーム内でスケジューリングされた複数の前記第２のステーションに前記ＬＢＴパラメータを送信することであって、前記第２のステーションのために構成されたＬＢＴパラメータは、同じコンテンションウィンドウサイズ（ＣＷＳ）、同じランダムバックオフ値、又は延長期間中の同数の９μｓタイムスロットを有することを含む方法。
【請求項４】
請求項３において、
前記第１のステーションによって、前記ＬＢＴパラメータに基づいて前記アンライセンスキャリアに対しＬＢＴを実行することは、
前記第１のステーションによって、前記アンライセンスキャリアのうちＣＷ値が最小のアンライセンスキャリアに対しｃａｔ４プロセスに基づくＬＢＴを実行し、前記アンライセンスキャリアのうち前記ＣＷ値が最小のアンライセンスキャリア以外のアンライセンスキャリアに対しｃａｔ２プロセスに基づくＬＢＴを実行すること、又は
前記第１のステーションによって、前記アンライセンスキャリアのうちＣＷ値が最大のアンライセンスキャリアに対しｃａｔ４プロセスに基づくＬＢＴを実行し、前記アンライセンスキャリアのうち前記ＣＷ値が最大のアンライセンスキャリア以外のアンライセンスキャリアに対しｃａｔ２プロセスに基づくＬＢＴを実行することを含む方法。
【請求項５】
請求項１において、
前記第２のステーションがＬＢＴパラメータを受信した後、
前記第１のステーションと前記第２のステーションとによって同時に、前記アンライセンスキャリアのうちＣＷ値が最小のアンライセンスキャリアに対しｃａｔ４プロセスに基づくＬＢＴを実行し、前記アンライセンスキャリアのうち前記ＣＷ値が最小のアンライセンスキャリア以外のアンライセンスキャリアに対しｃａｔ２プロセスに基づくＬＢＴを実行すること、
前記第２のステーションによって前記アンライセンスキャリアのうちＣＷ値が最小のアンライセンスキャリアに対しｃａｔ４プロセスに基づくＬＢＴを実行し、前記アンライセンスキャリアのうち前記ＣＷ値が最小のアンライセンスキャリア以外のアンライセンスキャリアに対しｃａｔ２プロセスに基づくＬＢＴを実行すること、
前記第１のステーションと前記第２のステーションとによって同時に、前記アンライセンスキャリアのうちＣＷ値が最大のアンライセンスキャリアに対しｃａｔ４プロセスに基づくＬＢＴを実行し、前記アンライセンスキャリアのうちＣＷ値が最大のアンライセンスキャリア以外のアンライセンスキャリアに対しｃａｔ２プロセスに基づくＬＢＴを実行すること、又は
前記第２のステーションによって、前記アンライセンスキャリアのうちＣＷ値が最大のアンライセンスキャリアに対しｃａｔ４プロセスに基づくＬＢＴを実行し、前記アンライセンスキャリアのうち前記ＣＷ値が最大のアンライセンスキャリア以外のアンライセンスキャリアに対しｃａｔ２プロセスに基づくＬＢＴを実行することを含む方法。
【請求項６】
請求項３において、
前記第１のステーションによって前記ＬＢＴパラメータに基づいて前記アンライセンスキャリアに対しＬＢＴを実行することは、
前記第１のステーションによって、前記アンライセンスキャリア上でアグリゲート及び送信されるバーストを決定することと、
前記第１のステーションによって、前記バーストのうちサービス品質（ＱｏＳ）優先度が最高の第１のバーストに対応する第１のＬＢＴレベルに応じて、前記アンライセンスキャリアに対しｃａｔ４プロセスに基づくＬＢＴを実行すること、又は前記第１のステーションによって、前記バーストのうちＱｏＳ優先度が最低の第２のバーストに対応する第２のＬＢＴレベルに応じて、前記アンライセンスキャリアに対しｃａｔ４プロセスに基づくＬＢＴを実行することと、
を含む方法。
【請求項７】
請求項６において、
前記第１のステーションによって、前記バーストのうちＱｏＳ優先度が最高の前記第１のバーストに対応する前記第１のＬＢＴレベルに応じて、前記アンライセンスキャリアに対しｃａｔ４プロセスに基づくＬＢＴを実行することは、前記第１のステーションによって、前記第１のＬＢＴレベルに応じて、前記アンライセンスキャリアの主コンテンションキャリアに対しｃａｔ４プロセスに基づくＬＢＴを実行することを含み、又は
前記第１のステーションによって、前記バーストのうちＱｏＳ優先度が最低の前記第２のバーストに対応する前記第２のＬＢＴレベルに応じて、前記アンライセンスキャリアに対しｃａｔ４プロセスに基づくＬＢＴを実行することは、前記第１のステーションによって、前記第２のＬＢＴレベルに応じて、前記アンライセンスキャリアの主コンテンションキャリアに対しｃａｔ４プロセスに基づくＬＢＴを実行することを含む方法。
【請求項８】
請求項３において、
前記ＬＢＴパラメータがＣＣＡエネルギ検出閾値を含む場合、前記第１のステーションが前記ＬＢＴパラメータにおけるＣＣＡエネルギ検出閾値を生成することは、前記第１のステーションによって、それぞれのアンライセンスキャリアの使用スキームに基づいて各アンライセンスキャリアのＣＣＡエネルギ検出閾値を決定することを含み、前記使用スキームは、前記アンライセンスキャリアが非キャリアアグリゲーション（ＣＡ）モードで使用される第１の使用スキーム及び／又は前記アンライセンスキャリアがＣＡモードで使用される第２の使用スキームを含む方法。
【請求項９】
請求項８において、
前記第２の使用スキームは、
１つの動作周波数点を使用する前記アンライセンスキャリアのキャリアアグリゲーション又は
前記アンライセンスキャリアのそれぞれに対応する動作周波数点を使用する前記アンライセンスキャリアのキャリアアグリゲーションを含む方法。
【請求項１０】
請求項８において、
前記第１のステーションによって、前記ＬＢＴパラメータに基づいて、前記アンライセンスキャリアに対しＬＢＴを実行することは、前記第１のステーションによって、前記アンライセンスキャリアに対し第１のＬＢＴを実行することを含み、前記第１のＬＢＴを実行することは、前記アンライセンスキャリアのそれぞれに対しｃａｔ４プロセスに基づくＬＢＴを個別に実行することを含む方法。
【請求項１１】
請求項１０において、
前記第１のステーションによって、前記アンライセンスキャリアの第１のアンライセンスキャリアについて、第１のＣＣＡエネルギ検出閾値を決定することは、前記第１のステーションによって、前記第１のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、
ＰＨは、前記第１のアンライセンスキャリアの最大送信電力値をｄＢｍ単位で表し、Ｗは、前記第１のアンライセンスキャリアの帯域幅をＭＨｚ単位で表す方法。
【請求項１２】
請求項８において、
前記第１のステーションによって、前記ＬＢＴパラメータに基づいて、前記アンライセンスキャリアに対しＬＢＴを実行することは、前記第１のステーションによって、前記アンライセンスキャリアに対し第２のＬＢＴを実行することを含み、前記第２のＬＢＴを実行することは、前記アンライセンスキャリアのうち主コンテンションキャリアとして使用されるアンライセンスキャリアに対しｃａｔ４プロセスに基づくＬＢＴを実行し、前記アンライセンスキャリアのうち副コンテンションキャリアとして使用されるアンライセンスキャリアに対しｃａｔ２プロセスに基づくＬＢＴを実行することを含む方法。
【請求項１３】
請求項１２において、
前記第１のステーションによって、前記アンライセンスキャリアの第２のアンライセンスキャリアについて、第２のＣＣＡエネルギ検出閾値を決定することは、前記第１のステーションによって、前記第２のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、
ＰＨは、前記アンライセンスキャリアの最大総送信電力値をｄＢｍ単位で表し、Ｗは、前記アンライセンスキャリアの総帯域幅をＭＨｚ単位で表す方法。
【請求項１４】
請求項１０から１３のいずれか１項において、
前記第１のステーションによって、前記ＬＢＴパラメータに基づいて、前記アンライセンスキャリアに対しＬＢＴを実行することは、前記第１のステーションによって、前記アンライセンスキャリアに対し前記第１のＬＢＴ及び前記第２のＬＢＴを同時に実行することを含む方法。
【請求項１５】
請求項１４において、
前記第１のステーションが前記アンライセンスキャリアに対し前記第１のＬＢＴを実行した後に、前記第１のステーションによって、前記第１の使用スキーム又は前記第２の使用スキームに基づいて前記アンライセンスキャリアのうち前記第１のＬＢＴが成功したアンライセンスキャリアを使用することを含み、
前記アンライセンスキャリアのうち前記第１のＬＢＴが成功したアンライセンスキャリアが、前記第２の使用スキームに基づいて使用される場合、前記アンライセンスキャリアのうち前記第１のＬＢＴが成功した前記アンライセンスキャリアの最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す方法。
【請求項１６】
請求項１４において、
前記第１のステーションが前記アンライセンスキャリアに対し前記第２のＬＢＴを実行した後に、前記アンライセンスキャリアに対する前記第２のＬＢＴが成功した場合、前記第１のステーションによって、前記第２の使用スキームに基づいて前記アンライセンスキャリアを使用することを含み、
前記各アンライセンスキャリアの最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す方法。
【請求項１７】
請求項１４において、
前記第１のステーションが前記アンライセンスキャリアに対し前記第２のＬＢＴを実行した後に、前記アンライセンスキャリアに対する第２のＬＢＴが失敗したが、前記アンライセンスキャリアの一部に対する第１のＬＢＴが成功した場合、前記第１のステーションによって、前記第１の使用スキームに基づいて前記アンライセンスキャリアを使用することを含む方法。
【請求項１８】
請求項１７において、
前記アンライセンスキャリアの一部が１つのアンライセンスキャリアである場合、前記１つのアンライセンスキャリアに対する最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す方法。
【請求項１９】
請求項８において、
前記第１のステーションによって、前記ＬＢＴパラメータに基づいて、前記アンライセンスキャリアに対しＬＢＴを実行することは、前記第１のステーションによって、前記アンライセンスキャリアに対し第３のＬＢＴを実行することを含み、前記第３のＬＢＴを実行することは、前記アンライセンスキャリアのうち主コンテンションキャリアとして使用する１つのアンライセンスキャリアに対しｃａｔ４プロセスに基づくＬＢＴを実行することを含む方法。
【請求項２０】
請求項１９において、
前記第１のステーションによって、前記アンライセンスキャリアのうち前記主コンテンションキャリアとして使用する前記１つのアンライセンスキャリアに対し第３のＣＣＡエネルギ検出閾値を決定することは、前記第１のステーションによって、前記第３のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、
ＰＨは、前記アンライセンスキャリアのうち前記主コンテンションキャリアとして使用する前記１つのアンライセンスキャリアの最大送信電力値をｄＢｍで表し、Ｗは、前記アンライセンスキャリアのうち主コンテンションキャリアとして使用する前記１つのアンライセンスキャリアの帯域幅をＭＨｚで表す方法。
【請求項２１】
請求項８において、
前記第１のステーションによって、前記ＬＢＴパラメータに基づいて、前記アンライセンスキャリアに対しＬＢＴを実行することは、前記第１のステーションによって、前記アンライセンスキャリアに対し第４のＬＢＴを実行することを含み、
前記第４のＬＢＴを実行することは、前記アンライセンスキャリアのうち主コンテンションキャリアとして使用されるアンライセンスキャリアに対しｃａｔ４プロセスに基づくＬＢＴを実行し、前記アンライセンスキャリアのうち副コンテンションキャリアとして使用されるアンライセンスキャリアに対しｃａｔ２プロセスに基づくＬＢＴを実行することを含む方法。
【請求項２２】
請求項２１において、
前記第１のステーションによって、前記アンライセンスキャリアの第４のアンライセンスキャリアに対し第４のＣＣＡエネルギ検出閾値を決定することは、前記第１のステーションによって、前記第４のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、
ＰＨは、前記アンライセンスキャリアの最大総送信電力値をｄＢｍ単位で表し、Ｗは、前記アンライセンスキャリアの総帯域幅をＭＨｚ単位で表す方法。
【請求項２３】
請求項１９から２２のいずれか１項において、
前記第１のステーションによって、前記ＬＢＴパラメータに基づいて、前記アンライセンスキャリアに対しＬＢＴを実行することは、前記第１のステーションによって、前記アンライセンスキャリアに対し前記第３のＬＢＴと前記第４のＬＢＴとを同時に実行することを含む方法。
【請求項２４】
請求項２３において、
前記第１のステーションが前記アンライセンスキャリアに対し前記第４のＬＢＴを実行した後に、前記アンライセンスキャリアに対する第４のＬＢＴが成功した場合、前記第１のステーションによって、前記第２の使用スキームに基づいて前記アンライセンスキャリアを使用することを含み、
前記各アンライセンスキャリアの最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す方法。
【請求項２５】
請求項２３において、
前記第１のステーションが前記アンライセンスキャリアに対し前記第４のＬＢＴを実行した後に、前記アンライセンスキャリアに対する第４のＬＢＴが失敗したが、前記アンライセンスキャリアのうち主コンテンションキャリアとして使用される前記アンライセンスキャリアに対する第３のＬＢＴが成功した場合、前記第１のステーションによって、前記第１の使用スキームに基づいて、前記アンライセンスキャリアのうちの前記主コンテンションキャリアとして前記アンライセンスキャリアを使用することを含む方法。
【請求項２６】
第１のステーションに適用され、ＬＢＴ（Listen Before Talk：ＬＢＴ）パラメータを処理する装置であって、
前記第１のステーションがアンライセンスキャリアに対しＬＢＴを実行するために使用するパラメータを含み及び／又は前記ＬＢＴパラメータを受け取る第２のステーションがアンライセンスキャリアに対しＬＢＴを実行するために使用するパラメータを指示するＬＢＴパラメータを生成するように構成された生成モジュールと、
前記ＬＢＴパラメータを送信するように構成された送信モジュールと、
を備える装置。
【請求項２７】
請求項２６において、
前記ＬＢＴパラメータに基づいて、前記アンライセンスキャリアに対しＬＢＴを実行し、
前記第１のステーションによってスケジューリングされた前記第２のステーションに前記ＬＢＴパラメータを送信し、又は
１つのサブフレーム内でスケジューリングされた複数の前記第２のステーションに前記ＬＢＴパラメータを送信するように構成された実行モジュールを更に備え、前記第２のステーションのために構成されたＬＢＴパラメータは、同じコンテンションウィンドウサイズ（ＣＷＳ）、同じランダムバックオフ値、又は延長期間中の同数の９μｓタイムスロットを有する装置。
【請求項２８】
請求項２７において、
前記実行モジュールは、
前記アンライセンスキャリアうちＣＷ値が最小のアンライセンスキャリアに対しｃａｔ４プロセスに基づくＬＢＴを実行し、前記アンライセンスキャリアのうち前記ＣＷ値が最小のアンライセンスキャリア以外のアンライセンスキャリアに対しｃａｔ２プロセスに基づくＬＢＴを実行し、又は
前記アンライセンスキャリアのうちＣＷ値が最大のアンライセンスキャリアに対しｃａｔ４プロセスに基づくＬＢＴを実行し、前記アンライセンスキャリアのうち前記ＣＷ値が最大のアンライセンスキャリア以外のアンライセンスキャリアに対しｃａｔ２プロセスに基づくＬＢＴを実行するように構成されている装置。
【請求項２９】
請求項２７において、
前記実行モジュールは、
前記アンライセンスキャリア上でアグリゲート及び送信されるバーストを決定するように構成された第１の決定ユニットと、
前記バーストのうちサービス品質（ＱｏＳ）優先度が最高の第１のバーストに対応する第１のＬＢＴレベルに応じて、前記アンライセンスキャリアに対しｃａｔ４プロセスに基づくＬＢＴを実行し、又は前記バーストのうちＱｏＳ優先度が最低の第２のバーストに対応する第２のＬＢＴレベルに応じて、前記アンライセンスキャリアに対しｃａｔ４プロセスに基づくＬＢＴを実行するように構成された第１の実行ユニットと、
を含む装置。
【請求項３０】
請求項２７において、
前記生成モジュールは、
前記ＬＢＴパラメータがクリアチャネル評価（ＣＣＡ）エネルギ検出閾値を含む場合、それぞれのアンライセンスキャリアの使用スキームに基づいて各アンライセンスキャリアのＣＣＡエネルギ検出閾値を決定するように構成された第２の決定ユニットを含み、
前記使用スキームは、前記アンライセンスキャリアが非キャリアアグリゲーション（ＣＡ）モードで使用される第１の使用スキーム及び／又は前記アンライセンスキャリアがＣＡモードで使用される第２の使用スキームを含む装置。
【請求項３１】
請求項３０において、
前記実行モジュールは、前記アンライセンスキャリアに対し前記第１のＬＢＴを実行するように構成された第２の実行ユニットを含み、前記第１のＬＢＴの実行は、前記アンライセンスキャリアのそれぞれに対しｃａｔ４プロセスに基づくＬＢＴを個別に実行することを含む装置。
【請求項３２】
請求項３１において、
前記第２の決定ユニットは、前記アンライセンスキャリアのうちの第１のアンライセンスキャリアについて、前記第１のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定し、
ＰＨは、前記第１のアンライセンスキャリアの最大送信電力値をｄＢｍ単位で表し、Ｗは、前記第１のアンライセンスキャリアの帯域幅をＭＨｚ単位で表す装置。
【請求項３３】
請求項３０において、
前記実行モジュールは、アンライセンスキャリアに対し第２のＬＢＴを実行する第３の実行ユニットを含み、前記第２のＬＢＴの実行は、前記アンライセンスキャリアのうち主コンテンションキャリアとして使用されるアンライセンスキャリアに対しｃａｔ４プロセスに基づくＬＢＴを実行し、前記アンライセンスキャリアのうち副コンテンションキャリアとして使用されるアンライセンスキャリアに対しｃａｔ２プロセスに基づくＬＢＴを実行することを含む装置。
【請求項３４】
請求項３３において、
前記第２の決定ユニットは、前記アンライセンスキャリアの第２のアンライセンスキャリアのための第２のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定し、
ＰＨは、前記アンライセンスキャリアの最大総送信電力値をｄＢｍ単位で表し、Ｗは、前記アンライセンスキャリアの総帯域幅をＭＨｚ単位で表す装置。
【請求項３５】
請求項３１から３４のいずれか１項において、
前記実行モジュールは、前記アンライセンスキャリアに対し前記第１のＬＢＴ及び前記第２のＬＢＴを同時に実行する第４の実行ユニットを含む装置。
【請求項３６】
請求項３５において、
前記第１の使用スキーム又は前記第２の使用スキームに基づいて、アンライセンスキャリアのうち前記第１のＬＢＴが成功したアンライセンスキャリアを使用するように構成された第１の使用モジュールを更に備え、
前記アンライセンスキャリアのうち前記第１のＬＢＴが成功したアンライセンスキャリアが、前記第２の使用スキームに基づいて使用される場合、前記アンライセンスキャリアのうち前記第１のＬＢＴが成功した前記アンライセンスキャリアの最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す装置。
【請求項３７】
請求項３５において、
前記アンライセンスキャリアに対する前記第２のＬＢＴが成功した場合、前記第２の使用スキームに基づいてアンライセンスキャリアを使用するように構成された第２の使用モジュールを更に備え、
前記各アンライセンスキャリアの最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す装置。
【請求項３８】
請求項３５において、
前記アンライセンスキャリアに対する第２のＬＢＴが失敗したが、前記アンライセンスキャリアの一部に対する第１のＬＢＴが成功した場合、前記第１の使用スキームに基づいてアンライセンスキャリアを使用するように構成された第３の使用モジュールを更に備える装置。
【請求項３９】
請求項３０において、
前記実行モジュールは、前記アンライセンスキャリアに対し第３のＬＢＴを実行するように構成された第５の実行ユニットを備え、
前記第３のＬＢＴの実行は、前記アンライセンスキャリアのうち主コンテンションキャリアとして使用する１つのアンライセンスキャリアに対しｃａｔ４プロセスに基づくＬＢＴを実行することを含む装置。
【請求項４０】
請求項３９において、
前記第２の決定ユニットは、前記アンライセンスキャリアのうち主コンテンションキャリアとして使用する前記１つのアンライセンスキャリアに対し第３のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成され、
ＰＨは、前記アンライセンスキャリアのうち前記主コンテンションキャリアとして使用する前記１つのアンライセンスキャリアの最大送信電力値をｄＢｍで表し、Ｗは、前記アンライセンスキャリアのうち主コンテンションキャリアとして使用する前記１つのアンライセンスキャリアの帯域幅をＭＨｚで表す装置。
【請求項４１】
請求項３０において、
前記実行モジュールは、前記アンライセンスキャリアに対し第４のＬＢＴを実行するように構成された第６の実行ユニットを備え、
前記第４のＬＢＴの実行は、前記アンライセンスキャリアのうち主コンテンションキャリアとして使用されるアンライセンスキャリアに対しｃａｔ４プロセスに基づくＬＢＴを実行し、前記アンライセンスキャリアのうち副コンテンションキャリアとして使用されるアンライセンスキャリアに対しｃａｔ２プロセスに基づくＬＢＴを実行することを含む装置。
【請求項４２】
請求項４１において、
前記第２の決定ユニットは、前記アンライセンスキャリアの第４のアンライセンスキャリアについての第４のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成され、
ＰＨは、前記第１のアンライセンスキャリアの最大総送信電力値をｄＢｍ単位で表し、Ｗは、前記第１のアンライセンスキャリアの総帯域幅をＭＨｚ単位で表す装置。
【請求項４３】
請求項３９から４２のいずれか１項において、
前記実行モジュールは、前記アンライセンスキャリアに対し第３のＬＢＴ及び第４のＬＢＴを同時に実行する第７の実行ユニットを備える装置。
【請求項４４】
請求項４３において、
前記アンライセンスキャリアに対する第４のＬＢＴが成功した場合、第２の使用スキームに基づいてアンライセンスキャリアを使用するように構成された第４の使用モジュールを更に備え、
前記各アンライセンスキャリアの最大送信電力値は、ＰＨ−１０ｌｏｇ（Ｃ）であり、ＰＨは、前記アンライセンスキャリアの最大総送信電力値をｄＢｍで表し、Ｃは、前記アンライセンスキャリアの数を表す装置。
【請求項４５】
請求項４３において、
前記アンライセンスキャリアに対する第４のＬＢＴが失敗したが、前記アンライセンスキャリアのうち主コンテンションキャリアとして使用される前記アンライセンスキャリアに対する第３のＬＢＴが成功した場合、前記第１の使用スキームに基づいて、前記アンライセンスキャリアのうちの前記主コンテンションキャリアとして前記アンライセンスキャリアを使用するように構成された第５の使用モジュールを更に備える装置。
【請求項４６】
請求項２６において、
前記ＬＢＴパラメータは、最大コンテンションウィンドウ（ＣＷ）値、最小ＣＷ値、延長期間内のクリアチャネル評価（ＣＣＡ）の数、ランダムバックオフ値、アンライセンスキャリア情報、ＬＢＴの実行開始時間、最大送信電力、及びＣＣＡエネルギ検出閾値のうちの少なくとも１つを含む装置。
【請求項４７】
請求項１から２５のいずれか１項に記載のＬＢＴ（Listen Before Talk：ＬＢＴ）パラメータを処理する方法を実行するコンピュータプログラムを格納するコンピュータストレージ媒体。
【発明の詳細な説明】
【技術分野】
【０００１】
本開示は、通信技術に関し、詳しくは、ＬＢＴ（ＬＢＴ：Listen Before Talk）パラメータを処理する方法、コンテンションウィンドウを調整する方法、及び関連する装置に関する。
【背景技術】
【０００２】
現在、ＬＴＥ（Long Term Evolution：ＬＴＥ）通信ネットワークは、ライセンスキャリアで動作するように展開されている。ＬＴＥの発展に伴い、幾つかの企業は、アンライセンスキャリアへのＬＴＥの導入に関する研究トピックを提案している。例えば、幾つかの企業は、データトラフィックの急速な増加に伴い、近い将来、このような急速なトラフィックの増加によってもたらされる膨大な量のデータを搬送するためには、ライセンスキャリアだけでは不十分になると予測している。アンライセンスキャリアにＬＴＥを導入することが提案されており、これによって、ライセンスキャリアのデータトラフィックの一部をアンライセンスキャリアにオフロードでき、トラフィックの増加によるデータトラフィックの負荷を軽減することができる。一方、アンライセンスキャリアは、以下の特徴がある。まず、アンライセンスキャリアは、購入する必要がなく、又はキャリアリソースのコストがゼロであり、アンライセンスキャリアは、無料又は安価である。また、アンライセンスキャリアは、個人と企業の両方が導入でき、ベンダーデバイスを使用できるため、参入障壁が低い。更に、アンライセンスキャリアは、共有することができる。複数の異なるシステム又は１つのシステムの複数の異なるオペレータがアンライセンスキャリアで動作する場合、リソース共有によってキャリアの効率を向上させることができる。
【０００３】
アンライセンスキャリアにＬＴＥを導入することは明らかに有利であるが、このような導入には幾つかの問題がある。例えば、多くの無線アクセス技術が存在し、異なる通信規格間及び多様なネットワークトポロジ間での調整が困難になる等の問題が生じる。更に、多くの無線アクセス局が存在するために、ユーザの数が膨大になり、調整が困難になり、集中管理におけるオーバーヘッドが大きくなる等の問題が生じる。多くの無線アクセス技術が存在するため、アンライセンスキャリアには様々な無線システムが存在し、これらは、調整が困難であり、重大な干渉を引き起こすことがある。したがって、アンライセンスキャリアにＬＴＥを導入する場合、アンライセンスキャリアについて競合する隣接するステーション間で相互干渉が依然として存在する。
【０００４】
これらの問題を解決するために、アンライセンスキャリアにＬＴＥを導入する際、アンライセンスキャリアの管理をサポートすることが必要である。殆どの国で、アンライセンスキャリアにシステムを導入する際、ＬＢＴメカニズムのサポートが必要である。ＬＢＴメカニズムにより、アンライセンスキャリアを同時に使用する隣接システム間の相互干渉を回避することができる。更に、コンテンションバックオフメカニズム（contention back-off mechanism）を任意に導入することができる。すなわち、隣接するシステムステーション（典型的には、単一のシステム内の隣接する送信ノード）についてコンテンションバックオフメカニズムを使用することにより、アンライセンスキャリアを同時に使用している同じシステムの隣接する送信ノードによって引き起こされる干渉を回避できる。
【０００５】
現在、ＬＴＥは、ＬＡＡ（Licensed-Assisted Access）システムにおけるＬＴＥの展開に関する研究に取り組んでいる。多くの企業が、アンライセンスキャリアへのアクセスの競合のために、ＬＡＡシステムにおいてダウンリンクにコンテンションベースのバックオフメカニズムが採用されると考えている。例えば、図１は、ｃａｔ４ベースのプロセス（３ＧＰＰ  ＴＲ３６．８９９のｃａｔ４に関する仕様書を参照）におけるＬＢＴメカニズムのフローチャートである。ｃａｔ２ベースのプロセス（３ＧＰＰ  ＴＲ３６．８９９のｃａｔ２に関する仕様書を参照）、におけるＬＢＴメカニズムでは、一定の時間長を有する単一のクリアチャネル評価（Clear Channel Assessment：ＣＣＡ）を使用できる。クリアチャネルが検出されると、アンライセンスキャリアへのアクセスが得られる。これに代えて、それぞれが所定の時間長を有する複数の連続したＣＣＡを実行できる。第１のＣＣＡが失敗すると、後続するＣＣＡが実行される。いずれかのＣＣＡが成功すると、アンライセンスキャリアへのアクセスを得ることができる。
【０００６】
更に、１つのシステム内で隣接するステーションは、同じアンライセンスキャリアについて競合できるが、調整メカニズムがないため、隣接するステーションは、互いに独立してアンライセンスキャリアについて競合し、したがって、隣接周波数リーケージのために、隣接するステーションが占有する隣接するアンライセンスキャリア間で相互干渉が生じる可能性があることが研究により判明している。
【０００７】
関連技術において、隣接するステーションによるアンライセンスキャリア競合に起因する干渉に関連するこの問題に対する有効な解決法は、現在のところ存在しない。
【発明の概要】
【課題を解決するための手段】
【０００８】
本開示の実施形態は、少なくとも、隣接するステーションによるアンライセンスキャリア競合に起因する干渉に関連する問題を解決できるＬＢＴパラメータを処理する方法、コンテンションウィンドウを調整する方法、及び関連する装置を提供する。
【０００９】
本開示の一実施形態は、ＬＢＴ（Listen Before Talk：ＬＢＴ）パラメータを処理する方法を提供する。この方法は、第１のステーションによって、第１のステーションがアンライセンスキャリアに対しＬＢＴを実行するために使用するパラメータを含み及び／又はＬＢＴパラメータを受け取る第２のステーションがアンライセンスキャリアに対しＬＢＴを実行するために使用するパラメータを指示するＬＢＴパラメータを生成することと、第１のステーションによって、ＬＢＴパラメータを送信することとを含む。
【００１０】
オプションとして、ＬＢＴパラメータは、最大コンテンションウィンドウ（ＣＷ）値、最小ＣＷ値、延長期間内のクリアチャネル評価（ＣＣＡ）の数、ランダムバックオフ値、アンライセンスキャリア情報、ＬＢＴの実行開始時間、最大送信電力、及びＣＣＡエネルギ検出閾値のうちの少なくとも１つを含む。
【００１１】
オプションとして、この方法は、第１のステーションがＬＢＴパラメータを生成した後に、第１のステーションによって、ＬＢＴパラメータに基づいて、アンライセンスキャリアに対しＬＢＴを実行すること、第１のステーションによって、第１のステーションによってスケジューリングされた第２のステーションにＬＢＴパラメータを送信すること、又は第１のステーションによって、１つのサブフレーム内でスケジューリングされた複数の第２のステーションにＬＢＴパラメータを送信することであって、第２のステーションのために構成されたＬＢＴパラメータは、同じコンテンションウィンドウサイズ（ＣＷＳ）、同じランダムバックオフ値、又は延長期間中の同数の９μｓタイムスロットを有することを含む。
【００１２】
オプションとして、第１のステーションがＬＢＴパラメータに基づいてアンライセンスキャリアに対しＬＢＴを実行することは、第１のステーションによって、アンライセンスキャリアのうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行すること、又は第１のステーションによって、アンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行することを含む。
【００１３】
オプションとして、この方法は、第２のステーションがＬＢＴパラメータを受信した後、第１のステーションと第２のステーションとによって同時に、アンライセンスキャリアのうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行すること、第２のステーションによってアンライセンスキャリアのうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行すること、第１のステーションと第２のステーションとによって同時に、アンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行すること、又は第２のステーションによって、アンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行することを含む。
【００１４】
オプションとして、第１のステーションによってＬＢＴパラメータに基づいてアンライセンスキャリアに対しＬＢＴを実行することは、第１のステーションによって、アンライセンスキャリア上でアグリゲート及び送信されるバーストを決定することと、第１のステーションによって、バーストのうちサービス品質（ＱｏＳ）優先度が最高の第１のバーストに対応する第１のＬＢＴレベルに応じて、アンライセンスキャリアに対しｃａｔ４プロセスに基づくＬＢＴを実行すること、又は第１のステーションによって、バーストのうちＱｏＳ優先度が最低の第２のバーストに対応する第２のＬＢＴレベルに応じて、アンライセンスキャリアに対しｃａｔ４プロセスに基づくＬＢＴを実行することとを含む。
【００１５】
オプションとして、第１のステーションによって、バーストのうちＱｏＳ優先度が最高の第１のバーストに対応する第１のＬＢＴレベルに応じて、アンライセンスキャリアに対しｃａｔ４プロセスに基づくＬＢＴを実行することは、第１のステーションによって、第１のＬＢＴレベルに応じて、アンライセンスキャリアの主コンテンションキャリアに対しｃａｔ４プロセスに基づくＬＢＴを実行することを含み、又は第１のステーションによって、バーストのうちＱｏＳ優先度が最低の第２のバーストに対応する第２のＬＢＴレベルに応じて、アンライセンスキャリアに対しｃａｔ４プロセスに基づくＬＢＴを実行することは、第１のステーションによって、第２のＬＢＴレベルに応じて、アンライセンスキャリアの主コンテンションキャリアに対しｃａｔ４プロセスに基づくＬＢＴを実行することを含む。
【００１６】
オプションとして、ＬＢＴパラメータがＣＣＡエネルギ検出閾値を含む場合、第１のステーションがＬＢＴパラメータにおけるＣＣＡエネルギ検出閾値を生成することは、第１のステーションによって、それぞれのアンライセンスキャリアの使用スキームに基づいて各アンライセンスキャリアのＣＣＡエネルギ検出閾値を決定することを含む。使用スキームは、アンライセンスキャリアが非キャリアアグリゲーション（ＣＡ）モードで使用される第１の使用スキーム及び／又はアンライセンスキャリアがＣＡモードで使用される第２の使用スキームを含む。
【００１７】
オプションとして、第２の使用スキームは、１つの動作周波数点を使用するアンライセンスキャリアのキャリアアグリゲーション又はアンライセンスキャリアのそれぞれに対応する動作周波数点を使用するアンライセンスキャリアのキャリアアグリゲーションを含む。
【００１８】
オプションとして、第１のステーションによって、ＬＢＴパラメータに基づいて、アンライセンスキャリアに対しＬＢＴを実行することは、第１のステーションによって、アンライセンスキャリアに対し第１のＬＢＴを実行することを含む。第１のＬＢＴを実行することは、アンライセンスキャリアのそれぞれに対しｃａｔ４プロセスに基づくＬＢＴを個別に実行することを含む。
【００１９】
オプションとして、第１のステーションによって、アンライセンスキャリアの第１のアンライセンスキャリアについて、第１のＣＣＡエネルギ検出閾値を決定することは、第１のステーションによって、第１のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、ここで、ＰＨは、第１のアンライセンスキャリアの最大送信電力値をｄＢｍ単位で表し、Ｗは、第１のアンライセンスキャリアの帯域幅をＭＨｚ単位で表す。
【００２０】
オプションとして、第１のステーションによって、ＬＢＴパラメータに基づいて、アンライセンスキャリアに対しＬＢＴを実行することは、第１のステーションによって、アンライセンスキャリアに対し第２のＬＢＴを実行することを含む。第２のＬＢＴを実行することは、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。
【００２１】
オプションとして、第１のステーションによって、アンライセンスキャリアの第２のアンライセンスキャリアについて、第２のＣＣＡエネルギ検出閾値を決定することは、第１のステーションによって、第２のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、ここで、ＰＨは、アンライセンスキャリアの最大総送信電力値をｄＢｍ単位で表し、Ｗは、アンライセンスキャリアの総帯域幅をＭＨｚ単位で表す。
【００２２】
オプションとして、第１のステーションによって、ＬＢＴパラメータに基づいて、アンライセンスキャリアに対しＬＢＴを実行することは、第１のステーションによって、アンライセンスキャリアに対し第１のＬＢＴ及び第２のＬＢＴを同時に実行することを含む。
【００２３】
オプションとして、この方法は、第１のステーションがアンライセンスキャリアに対し第１のＬＢＴを実行した後に、第１のステーションによって、第１の使用スキーム又は第２の使用スキームに基づいて、アンライセンスキャリアのうち第１のＬＢＴが成功したアンライセンスキャリアを使用することを含む。アンライセンスキャリアのうち第１のＬＢＴが成功したアンライセンスキャリアが、第２の使用スキームに基づいて使用される場合、アンライセンスキャリアのうち第１のＬＢＴが成功したアンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００２４】
オプションとして、この方法は、第１のステーションがアンライセンスキャリアに対し第２のＬＢＴを実行した後に、アンライセンスキャリアに対する第２のＬＢＴが成功した場合、第１のステーションによって、第２の使用スキームに基づいてアンライセンスキャリアを使用することを含む。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００２５】
オプションとして、この方法は、第１のステーションがアンライセンスキャリアに対し第２のＬＢＴを実行した後に、アンライセンスキャリアに対する第２のＬＢＴが失敗したが、アンライセンスキャリアの一部に対する第１のＬＢＴが成功した場合、第１のステーションによって、第１の使用スキームに基づいてアンライセンスキャリアを使用することを含む。
【００２６】
オプションとして、この方法は、アンライセンスキャリアの一部が１つのアンライセンスキャリアである場合、１つのアンライセンスキャリアに対する最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００２７】
オプションとして、第１のステーションによって、ＬＢＴパラメータに基づいて、アンライセンスキャリアに対しＬＢＴを実行することは、第１のステーションによって、アンライセンスキャリアに対し第３のＬＢＴを実行することを含む。第３のＬＢＴを実行することは、アンライセンスキャリアのうち主コンテンションキャリアとして使用する１つのアンライセンスキャリアに対しｃａｔ４プロセスに基づくＬＢＴを実行することを含む。
【００２８】
オプションとして、第１のステーションによって、アンライセンスキャリアのうち主コンテンションキャリアとして使用する１つのアンライセンスキャリアに対し第３のＣＣＡエネルギ検出閾値を決定することは、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、ここで、ＰＨは、アンライセンスキャリアのうち主コンテンションキャリアとして使用する１つのアンライセンスキャリアの最大送信電力値をｄＢｍで表し、ここで、Ｗは、アンライセンスキャリアのうち主コンテンションキャリアとして使用する１つのアンライセンスキャリアの帯域幅をＭＨｚで表す。
【００２９】
オプションとして、第１のステーションによって、ＬＢＴパラメータに基づいて、アンライセンスキャリアに対しＬＢＴを実行することは、第１のステーションによって、アンライセンスキャリアに対し第４のＬＢＴを実行することを含む。第４のＬＢＴを実行することは、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。
【００３０】
オプションとして、第１のステーションによって、アンライセンスキャリアの第４のアンライセンスキャリアに対し第４のＣＣＡエネルギ検出閾値を決定することは、第１のステーションによって、第４のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定することを含み、ここで、ＰＨは、アンライセンスキャリアの最大総送信電力値をｄＢｍ単位で表し、Ｗは、アンライセンスキャリアの総帯域幅をＭＨｚ単位で表す。
【００３１】
オプションとして、第１のステーションによって、ＬＢＴパラメータに基づいて、アンライセンスキャリアに対しＬＢＴを実行することは、第１のステーションによって、アンライセンスキャリアに対し第３のＬＢＴと第４のＬＢＴとを同時に実行することを含む。
【００３２】
オプションとして、この方法は、第１のステーションがアンライセンスキャリアに対し第４のＬＢＴを実行した後に、アンライセンスキャリアに対する第４のＬＢＴが成功した場合、第１のステーションによって、第２の使用スキームに基づいてアンライセンスキャリアを使用することを含む。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００３３】
オプションとして、この方法は、第１のステーションがアンライセンスキャリアに対し第４のＬＢＴを実行した後に、アンライセンスキャリアに対する第４のＬＢＴが失敗したが、アンライセンスキャリアのうち主コンテンションキャリアとして使用されるアンライセンスキャリアに対する第３のＬＢＴが成功した場合、第１のステーションによって、第１の使用スキームに基づいて、アンライセンスキャリアのうちの主コンテンションキャリアとしてアンライセンスキャリアを使用することを含む。
【００３４】
本開示の別の実施形態は、第１のステーションに適用され、ＬＢＴ（Listen Before Talk：ＬＢＴ）パラメータを処理する装置を提供する。この装置は、第１のステーションがアンライセンスキャリアに対しＬＢＴを実行するために使用するパラメータを含み及び／又はＬＢＴパラメータを受け取る第２のステーションがアンライセンスキャリアに対しＬＢＴを実行するために使用するパラメータを指示するＬＢＴパラメータを生成するように構成された生成モジュールと、ＬＢＴパラメータを送信するように構成された送信モジュールとを含む。
【００３５】
オプションとして、この装置は、ＬＢＴパラメータに基づいてアンライセンスキャリアに対しＬＢＴを実行し、第１のステーションによってスケジューリングされた第２のステーションにＬＢＴパラメータを送信し、又は１つのサブフレーム内でスケジューリングされた複数の第２のステーションにＬＢＴパラメータを送信するように構成された実行モジュールを更に備え、第２のステーションのために構成されたＬＢＴパラメータは、同じコンテンションウィンドウサイズ（ＣＷＳ）、同じランダムバックオフ値、又は延長期間中の同数の９μｓタイムスロットを有する。
【００３６】
オプションとして、実行モジュールは、アンライセンスキャリアうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行し、又はアンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行するように構成されている。
【００３７】
オプションとして、実行モジュールは、アンライセンスキャリア上でアグリゲート及び送信されるバーストを決定するように構成された第１の決定ユニットと、バーストのうちサービス品質（ＱｏＳ）優先度が最高の第１のバーストに対応する第１のＬＢＴレベルに応じて、アンライセンスキャリアに対しｃａｔ４プロセスに基づくＬＢＴを実行し、又はバーストのうちＱｏＳ優先度が最低の第２のバーストに対応する第２のＬＢＴレベルに応じて、アンライセンスキャリアに対しｃａｔ４プロセスに基づくＬＢＴを実行するように構成された第１の実行ユニットとを含む。
【００３８】
オプションとして、生成モジュールは、ＬＢＴパラメータがクリアチャネル評価（ＣＣＡ）エネルギ検出閾値を含む場合、それぞれのアンライセンスキャリアの使用スキームに基づいて各アンライセンスキャリアのＣＣＡエネルギ検出閾値を決定するように構成された第２の決定ユニットを含む。アンライセンスキャリアが非キャリアアグリゲーション（ＣＡ）モードで使用される第１の使用スキーム及び／又はアンライセンスキャリアがＣＡモードで使用される第２の使用スキームを含む。
【００３９】
オプションとして、実行モジュールは、アンライセンスキャリアに対し第１のＬＢＴを実行するように構成された第２の実行ユニットを含む。第１のＬＢＴの実行は、アンライセンスキャリアのそれぞれに対しｃａｔ４プロセスに基づくＬＢＴを個別に実行することを含む。
【００４０】
オプションとして、第２の決定ユニットは、アンライセンスキャリアのうちの第１のアンライセンスキャリアについて、第１のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定し、ここで、ＰＨは、第１のアンライセンスキャリアの最大送信電力値をｄＢｍ単位で表し、Ｗは、第１のアンライセンスキャリアの帯域幅をＭＨｚ単位で表す。
【００４１】
オプションとして、実行モジュールは、アンライセンスキャリアに対し第２のＬＢＴを実行する第３の実行ユニットを含む。第２のＬＢＴの実行は、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。
【００４２】
オプションとして、第２の決定ユニットは、アンライセンスキャリアの第２のアンライセンスキャリアのための第２のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成され、ここで、ＰＨは、アンライセンスキャリアの最大総送信電力値をｄＢｍ単位で表し、Ｗは、アンライセンスキャリアの総帯域幅をＭＨｚ単位で表す。
【００４３】
オプションとして、実行モジュールは、アンライセンスキャリアに対し第１のＬＢＴ及び第２のＬＢＴを同時に実行する第４の実行ユニットを含む。
【００４４】
オプションとして、この装置は、第１の使用スキーム又は第２の使用スキームに基づいて、アンライセンスキャリアのうち第１のＬＢＴが成功したアンライセンスキャリアを使用するように構成された第１の使用モジュールを更に含む。アンライセンスキャリアのうち第１のＬＢＴが成功したアンライセンスキャリアが、第２の使用スキームに基づいて使用される場合、アンライセンスキャリアのうち第１のＬＢＴが成功したアンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００４５】
オプションとして、この装置は、アンライセンスキャリアに対する第２のＬＢＴが成功した場合、第２の使用スキームに基づいてアンライセンスキャリアを使用するように構成された第２の使用モジュールを更に含む。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００４６】
オプションとして、アンライセンスキャリアに対する第２のＬＢＴが失敗したが、アンライセンスキャリアの一部に対する第１のＬＢＴが成功した場合、第１の使用スキームに基づいてアンライセンスキャリアを使用するように構成された第３の使用モジュールを更に備える。
【００４７】
オプションとして、実行モジュールは、アンライセンスキャリアに対し第３のＬＢＴを実行するように構成された第５の実行ユニットを含む。第３のＬＢＴの実行は、アンライセンスキャリアのうち主コンテンションキャリアとして使用する１つのアンライセンスキャリアに対しｃａｔ４プロセスに基づくＬＢＴを実行することを含む。
【００４８】
オプションとして、第２の決定ユニットは、アンライセンスキャリアのうち主コンテンションキャリアとして使用する１つのアンライセンスキャリアに対し第３のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成され、ここで、ＰＨは、アンライセンスキャリアのうち主コンテンションキャリアとして使用する１つのアンライセンスキャリアの最大送信電力値をｄＢｍで表し、Ｗは、アンライセンスキャリアのうち主コンテンションキャリアとして使用する１つのアンライセンスキャリアの帯域幅をＭＨｚで表す。
【００４９】
オプションとして、実行モジュールは、アンライセンスキャリアに対し第４のＬＢＴを実行するように構成された第６の実行ユニットを含む。第４のＬＢＴの実行は、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。
【００５０】
オプションとして、第２の決定ユニットは、アンライセンスキャリアの第４のアンライセンスキャリアについての第４のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成され、ここで、ＰＨは、アンライセンスキャリアの最大総送信電力値をｄＢｍ単位で表し、Ｗは、アンライセンスキャリアの総帯域幅をＭＨｚ単位で表す。
【００５１】
オプションとして、実行モジュールは、アンライセンスキャリアに対し第３のＬＢＴ及び第４のＬＢＴを同時に実行する第７の実行ユニットを含む。
【００５２】
オプションとして、この装置は、アンライセンスキャリアに対する第４のＬＢＴが成功した場合、第２の使用スキームに基づいてアンライセンスキャリアを使用するように構成された第４の使用モジュールを更に備える。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００５３】
オプションとして、この装置は、アンライセンスキャリアに対する第４のＬＢＴが失敗したが、アンライセンスキャリアのうち主コンテンションキャリアとして使用されるアンライセンスキャリアに対する第３のＬＢＴが成功した場合、第１の使用スキームに基づいて、アンライセンスキャリアのうちの主コンテンションキャリアとしてアンライセンスキャリアを使用するように構成された第５の使用モジュールを更に含む。
【００５４】
オプションとして、ＬＢＴパラメータは、最大コンテンションウィンドウ（ＣＷ）値、最小ＣＷ値、延長期間内のクリアチャネル評価（ＣＣＡ）の数、ランダムバックオフ値、アンライセンスキャリア情報、ＬＢＴの実行開始時間、最大送信電力、及びＣＣＡエネルギ検出閾値のうちの少なくとも１つを含む。
【００５５】
本開示の更なる実施形態は、コンピュータストレージ媒体を提供する。コンピュータストレージ媒体は、上述したＬＢＴ（Listen Before Talk：ＬＢＴ）パラメータを処理する方法を実行するコンピュータプログラムを格納する。
【００５６】
本開示の実施形態によれば、第１のステーションは、第１のステーションがアンライセンスキャリアに対しＬＢＴを実行するために使用するパラメータを含み及び／又はＬＢＴパラメータを受信する第２のステーションがアンライセンスキャリアに対しＬＢＴを実行するために使用するパラメータを指示するＬＢＴパラメータを生成する。第１のステーションは、ＬＢＴパラメータを送信する。本開示の実施形態により、隣接するステーションによるアンライセンスキャリアの競合に起因する干渉に関連する問題を解決でき、これにより、隣接するステーションによるアンライセンスキャリアの競合に起因する隣接するステーション間の干渉を回避できる。
【００５７】
本開示は、以下に説明する、本開示の一部を構成する図面を参照することによって更に明瞭となる。本開示の例示的な実施形態及びその説明は、本開示を限定するためではなく、説明するためのものである。
【図面の簡単な説明】
【００５８】
【図１】従来のｃａｔ４処理に基づくＬＢＴメカニズムを示すフローチャートである。
【図２】本開示の一実施形態に基づきＬＢＴパラメータを処理する方法を示すフローチャートである。
【図３】本開示の一実施形態に基づきＬＢＴパラメータを処理する装置の構成を示すブロック図である。
【図４】本開示の一実施形態に基づきＬＢＴパラメータを処理する装置のオプションの構造を示す第１のブロック図である。
【図５】本開示の一実施形態に基づきＬＢＴパラメータを処理する装置のオプションの構造を示す第２のブロック図である。
【図６】本開示の一実施形態に基づきＬＢＴパラメータを処理する装置のオプションの構造を示す第３のブロック図である。
【図７】本開示の一実施形態に基づきＬＢＴパラメータを処理する装置のオプションの構造を示す第４のブロック図である。
【図８】本開示の一実施形態に基づきＬＢＴパラメータを処理する装置のオプションの構造を示す第５のブロック図である。
【図９】本開示の一実施形態に基づきＬＢＴパラメータを処理する装置のオプションの構造を示す第６のブロック図である。
【図１０】本開示の一実施形態に基づきＬＢＴパラメータを処理する装置のオプションの構造を示す第７のブロック図である。
【図１１】本開示のオプションの実施形態に基づきＣＷを調整する方法を示すフローチャートである。
【図１２】本開示のオプションの実施形態に基づきＣＷを調整する装置の構造を示すブロック図である。
【発明を実施するための形態】
【００５９】
以下、図面を参照して、実施形態と併せて、本開示を詳細に説明する。実施形態及びその特徴は、矛盾しない限り、互いに組み合わせることができる。
【００６０】
なお、明細書、特許請求の範囲及び図面における「第１」、「第２」等の用語は、類似の対象を区別するために使用しており、必ずしも特定の序列又は順序を示唆するものではない。
【００６１】
一実施形態では、ＬＢＴパラメータを処理する方法が提供される。図２は、本開示の一実施形態に基づくＬＢＴパラメータを処理する方法を示すフローチャートである。図２に示すように、この方法は、以下のステップを含む。
【００６２】
ステップＳ２０２において、第１のステーションは、第１のステーションがアンライセンスキャリアに対しＬＢＴを実行するために使用するパラメータを含み及び／又はＬＢＴパラメータを受信する第２のステーションがアンライセンスキャリアに対しＬＢＴを実行するために使用するパラメータを指示するＬＢＴパラメータを生成する。
【００６３】
ステップＳ２０４において、第１のステーションは、ＬＢＴパラメータを送信する。
【００６４】
以上のステップにより、第１のステーションは、生成されたＬＢＴパラメータをその隣接ステーションである第２のステーションに送信する。第１のステーションと第２のステーションは、ＬＢＴパラメータに基づいて同時にＬＢＴの実行を開始し、同じＬＢＴ構成パラメータを使用できる。これにより、両方のステーションが、ＬＢＴを同時に実行し、同時にアクセスを得ることができる。第２のステーションは、第１のステーションのＬＢＴパラメータに基づいて、自らのＬＢＴパラメータを調整することができ、これにより、第１のステーションと第２のステーションとの間の干渉が回避される。すなわち、以上のステップにより、隣接するステーションによるアンライセンスキャリアの競合に起因する干渉に関連する問題を解決でき、これにより、隣接するステーションによるアンライセンスキャリアの競合に起因する隣接するステーション間の干渉を回避できる。
【００６５】
オプションとして、上述の第１及び第２のステーションは、アンライセンスキャリアについて競合し、アンライセンスキャリアを使用するデバイス、例えば、基地局又はユーザ機器（User Equipment：ＵＥ）であってもよい。例えば、基地局は、Ｘ２インタフェース、Ｓ１インタフェース又はエアインタフェースシグナリングを介して、その隣接基地局にＬＢＴパラメータを送信できる。他の例として、基地局は、エアインタフェースシグナリングを介して、ＵＥにＬＢＴパラメータを送信できる。
【００６６】
オプションとして、上述のＬＢＴパラメータは、以下に限定されるものではないが、最大コンテンションウィンドウ（ＣＷ）値、最小ＣＷ値、延長期間内のクリアチャネル評価（ＣＣＡ）の数、ランダムバックオフ値、アンライセンスキャリア情報、ＬＢＴの実行開始時間、最大送信電力、及びＣＣＡエネルギ検出閾値のうちの少なくとも１つを含む。ここで、最小ＣＷ値、延長期間内のクリアチャネル評価（ＣＣＡ）の数、ランダムバックオフ値、アンライセンスキャリア情報、ＬＢＴの実行開始時間、最大送信電力、又はＣＣＡエネルギ検出閾値は、アンライセンスキャリア毎に個別に設定してもよく、アンライセンスキャリアの一部又は全部に対して一律に設定してもよい。
【００６７】
オプションとして、ＬＢＴパラメータを生成した後、第１のステーションは、ＬＢＴパラメータに基づいて、アンライセンスキャリアに対しＬＢＴを実行できる。これに代えて、第１のステーションは、第１のステーションによってスケジューリングされる第２のステーションにＬＢＴパラメータを送信してもよい。これに代えて、第１のステーションは、１つのサブフレーム内でスケジューリングされた複数の第２のステーションにＬＢＴパラメータを送信してもよく、第２のステーションのために構成されたＬＢＴパラメータは、同じコンテンションウィンドウサイズ（ＣＷＳ）、同じランダムバックオフ値、又は延長期間中の同数の９μｓタイムスロットを有する。
【００６８】
オプションとして、上述のステップＳ２０２の後、第１のステーションは、アンライセンスキャリアのうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行すること、又はアンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行することによってアンライセンスキャリアに対しＬＢＴを実行できる。すなわち、上述のステップにより、アンライセンスキャリアのＣＷ値に応じて、アンライセンスキャリアに対しｃａｔ４又はｃａｔ２プロセスに基づくＬＢＴを実行でき、これによってシステムの柔軟性が向上する。
【００６９】
オプションとして、第２のステーションが第１のステーションから送信されたＬＢＴパラメータを受信した後、第２のステーション、又は第１及び第２のステーションの両方が、ＬＢＴパラメータに基づいてＬＢＴを実行してもよい。
【００７０】
例えば、第１のステーションと第２のステーションとによって同時に、アンライセンスキャリアのうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行してもよい。これに代えて、第２のステーションによってアンライセンスキャリアのうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行してもよい。これに代えて、第１のステーションと第２のステーションとによって同時に、アンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行してもよい。これに代えて、第２のステーションによって、アンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行してもよい。すなわち、上述のステップにより、第１及び第２のステーションによって実行されるＬＢＴプロセスを同期させることができ、これにより、隣接するステーションによるアンライセンスキャリアの競合に起因する干渉に関連する問題を解決でき、これにより、隣接するステーションによるアンライセンスキャリアの競合に起因する隣接するステーション間の干渉を回避できる。
【００７１】
オプションとして、上述のステップＳ２０２の後、第１のステーションによって、アンライセンスキャリア上でアグリゲート及び送信されるバーストを決定することができる。そして、第１のステーションによって、バーストのうちサービス品質（ＱｏＳ）優先度が最高の第１のバーストに対応する第１のＬＢＴレベルに応じて、アンライセンスキャリアに対しｃａｔ４プロセスに基づくＬＢＴを実行できる。このようにして、アンライセンスキャリアリソースの競合において、ＱｏＳ優先度が最高のバーストを可能な限り優先させることができる。これに代えて、ステップＳ２０２の後、第１のステーションは、バーストのうちＱｏＳ優先度が最低の第２のバーストに対応する第２のＬＢＴレベルに応じて、アンライセンスキャリアに対しｃａｔ４プロセスに基づくＬＢＴを実行できる。これにより、可能であれば、全てのバーストが、アンライセンスキャリアリソースについて競合できる。
【００７２】
例えば、第１のステーションが、バースト（すなわち、上述のバースト）が複数のアンライセンスキャリアにおいてアグリゲートされて送信されると判定すると、第１のステーションは、バースト内でＱｏＳが最高のトラフィックに対応するＬＢＴレベル（ｃａｔ４プロセスに基づくＬＢＴが好ましい）に基づいて、アンライセンスキャリアのアグリゲーションについて、マルチキャリア競合を実行する。
【００７３】
例えば、第１のステーションが、バースト（すなわち、上述のバースト）が複数のアンライセンスキャリアにおいてアグリゲートされて送信されると判定すると、第１のステーションは、バースト内でＱｏＳが最低のトラフィックに対応するＬＢＴレベル（ｃａｔ４プロセスに基づくＬＢＴが好ましい）に基づいてアンライセンスキャリアのアグリゲーションについて、マルチキャリア競合を実行する。
【００７４】
オプションとして、第１のステーションによって、バーストのうちＱｏＳ優先度が最高の第１のバーストに対応する第１のＬＢＴレベルに応じて、アンライセンスキャリアに対しｃａｔ４プロセスに基づくＬＢＴを実行することは、第１のステーションによって、第１のＬＢＴレベルに応じて、アンライセンスキャリアの主コンテンションキャリアに対しｃａｔ４プロセスに基づくＬＢＴを実行することを含む。
【００７５】
オプションとして、第１のステーションによって、バーストのうちＱｏＳ優先度が最低の第２のバーストに対応する第２のＬＢＴレベルに応じて、アンライセンスキャリアに対しｃａｔ４プロセスに基づくＬＢＴを実行することは、第１のステーションによって、第２のＬＢＴレベルに応じて、アンライセンスキャリアの主コンテンションキャリアに対しｃａｔ４プロセスに基づくＬＢＴを実行することを含む。
【００７６】
オプションとして、この実施形態では、ＣＣＡエネルギ検出閾値を決定及び使用するスキームも提供される。
【００７７】
例えば、ＬＢＴパラメータがＣＣＡエネルギ検出閾値を含む場合、ステップＳ２０２において、第１のステーションは、それぞれのアンライセンスキャリアの使用スキームに基づいて、各アンライセンスキャリアのＣＣＡエネルギ検出閾値を決定できる。ここで、使用スキームは、アンライセンスキャリアが非ＣＡモードで使用される（すなわち、データは、各アンライセンスキャリアにおいて独立して送信される）第１の使用スキーム及びアンライセンスキャリアがＣＡモードで使用される第２の使用スキームを含む。このようにして、アンライセンスキャリアの非ＣＡモード及びＣＡモードに対し異なるＣＣＡエネルギ検出閾値を設定することができる。例えば、ＣＡモードのＣＣＡエネルギ検出閾値を非ＣＡモードのＣＣＡエネルギ検出閾値よりも低く設定することができ、これにより、第１のステーションがＣＡモードでアンライセンスキャリアを使用する成功率を高めることができる。
【００７８】
オプションとして、上述の第２の使用スキーム（すなわち、ＣＡモード）は、１つの動作周波数点を使用するアンライセンスキャリアのキャリアアグリゲーション又はアンライセンスキャリアのそれぞれに対応する動作周波数点を使用するアンライセンスキャリアのキャリアアグリゲーションを含む。
【００７９】
Ａ．第１のステーションがＬＢＴパラメータに基づいてアンライセンスキャリアに対しＬＢＴを実行する際、第１のステーションは、アンライセンスキャリアに対し第１のＬＢＴを実行できる。第１のＬＢＴを実行することは、アンライセンスキャリアのそれぞれに対しｃａｔ４プロセスに基づくＬＢＴを個別に実行することを含む。これは、アンライセンスキャリアが第１の使用スキームで使用される状況又はアンライセンスキャリアが第２の使用スキームで使用される状況に適用できる。
【００８０】
ここで、第１のステーションは、アンライセンスキャリアのうち（例えば、第１のアンライセンスキャリアとして示される）特定のアンライセンスキャリアについて、第１のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定でき、ここで、ＰＨは、第１のアンライセンスキャリアの最大送信電力値をｄＢｍ単位で表し、Ｗは、第１のアンライセンスキャリアの帯域幅をＭＨｚ単位で表す。
【００８１】
オプションとして、第１のステーションがＬＢＴパラメータに基づいてアンライセンスキャリアに対しＬＢＴを実行する際、第１のステーションは、アンライセンスキャリアに対し第２のＬＢＴを実行できる。第２のＬＢＴを実行することは、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。これは、アンライセンスキャリアが第２の使用スキームで使用される状況に適用できる。
【００８２】
ここで、第１のステーションは、アンライセンスキャリアのうち（例えば、第２のアンライセンスキャリアとして示される）特定のアンライセンスキャリアについて、第２のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定でき、ここで、ＰＨは、全てのアンライセンスキャリアの最大総送信電力値をｄＢｍ単位で表し、Ｗは、全てのアンライセンスキャリアの総帯域幅をＭＨｚ単位で表す。
【００８３】
オプションとして、第１のステーションは、アンライセンスキャリアに対し第１のＬＢＴ及び第２のＬＢＴを同時に実行することを試みてもよい。
【００８４】
オプションとして、第１のステーションがアンライセンスキャリアに対し第１のＬＢＴを実行した後、第１のステーションは、第１の使用スキーム又は第２の使用スキームに基づいてアンライセンスキャリアのうち第１のＬＢＴが成功したアンライセンスキャリアを使用してもよい。アンライセンスキャリアのうち第１のＬＢＴが成功したアンライセンスキャリアが、第２の使用スキームに基づいて使用される場合、アンライセンスキャリアのうち第１のＬＢＴが成功したアンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００８５】
オプションとして、第１のステーションがアンライセンスキャリアについて第２のＬＢＴを実行した後、第１のステーションは、アンライセンスキャリアに対する第２のＬＢＴが成功した場合、第２の使用スキームに基づいてアンライセンスキャリアを使用してもよい。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００８６】
オプションとして、第１のステーションがアンライセンスキャリアについて第２のＬＢＴを実行した後、第１のステーションは、アンライセンスキャリアに対する第２のＬＢＴが失敗したが、アンライセンスキャリアの一部に対する第１のＬＢＴが成功した場合、第１の使用スキームに基づいてアンライセンスキャリアを使用してもよい。
【００８７】
オプションとして、アンライセンスキャリアの一部が１つのアンライセンスキャリアである場合、１つのアンライセンスキャリアに対する最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【００８８】
例えば、ステーションが複数のアンライセンスキャリアについて競合する場合、２つのＬＢＴタイプ及びこれらに対応するＣＣＡエネルギ検出閾値は、以下のようにすることができる。
【００８９】
タイプ１：ステーションが、複数のアンライセンスキャリアのそれぞれについて個別にＬＢＴ、好ましくはＬＢＴ  ｃａｔ４を実行する。競合が成功すると、アンライセンスキャリアのそれぞれにおいて個別に送信を行うことができる。各アンライセンスキャリアの最大送信電力（又は固定電力を使用できる。以下同様）をＰＨ＝２３ｄＢｍとすると、ＣＣＡエネルギ検出閾値は、ＴＬ＝−７５＋（２３−ＰＨ）＋１０ｌｏｇ（Ｗ）＝−６２ｄＢｍであり、ここで、Ｗは、各アンライセンスキャリアの帯域幅（例えば、２０ＭＨｚと仮定される）を示す。
【００９０】
タイプ２：ステーションが主アンライセンスコンテンションキャリアに対しＬＢＴ（ｃａｔ４）を実行し、副アンライセンスコンテンションキャリアに対し高速ＬＢＴ（ｃａｔ２）を実行する。競合が成功すると、複数のアンライセンスキャリアが送信のためにアグリゲートされる。最大総送信電力は、ＰＨ＝２３ｄＢｍであり、各アンライセンスキャリアの最大送信電力は、Ｐ＝２３−１０ｌｏｇ（Ｃ）＝２０ｄＢｍであり、ここで、Ｃは、アグリゲートされたアンライセンスキャリアの数である。ＣＣＡエネルギ検出閾値は、ＴＬ＝−７５＋（２３−ＰＨ）＋１０ｌｏｇ（Ｗ）＝−６２＋３＝−５９ｄＢｍであり、ここで、Ｗは、アグリゲートされた総帯域幅であり、例えば、２つの２０ＭＨｚキャリアと仮定される。
【００９１】
オプションとして、ステーションは、上述のタイプ１のＬＢＴ及びタイプ２のＬＢＴを同時に行うことができる。
【００９２】
オプションとして、タイプ１のＬＢＴが成功した場合、ステーションは、タイプ２（すなわち、ＣＡモード）に基づく送信を許可できる。
【００９３】
オプションとして、タイプ２のＬＢＴが成功した場合、各キャリアの最大送信電力を２０ｄＢｍとして、複数のアンライセンスキャリアを同時に占有してもよい。
【００９４】
オプションとして、タイプ２のＬＢＴが失敗したが、アンライセンスキャリアの一部についてタイプ１のＬＢＴが競合に成功した場合、アンライセンスキャリアの各キャリアの最大送信電力を２３ｄＢｍとして、アンライセンスキャリアの一部を占有してもよい。
【００９５】
他の例として、ステーションが複数のアンライセンスキャリアについて競合する場合、２つのＬＢＴタイプ及びこれらに対応するＣＣＡエネルギ検出閾値は、以下のようにすることができる。
【００９６】
タイプ１：ステーションが、複数のアンライセンスキャリアのそれぞれについて個別にＬＢＴ  ｃａｔ４を実行する。複数のキャリアが送信のためにアグリゲートされていると仮定すると、ステーションが使用する各キャリアの最大送信電力は、ＰＨ＝２０ｄＢｍであり、ＣＣＡエネルギ検出閾値は、ＴＬ＝−７５＋（２３−ＰＨ）＋１０ｌｏｇ（Ｗ）＝−５９ｄＢｍであり、ここで、Ｗは、各アンライセンスキャリアの帯域幅（例えば、２０ＭＨｚと仮定される）を示す。
【００９７】
タイプ２：ステーションが主アンライセンスコンテンションキャリアに対しＬＢＴ  ｃａｔ４を実行し、副アンライセンスコンテンションキャリアに対し高速ＬＢＴ（ｃａｔ２）を実行する。主コンテンションキャリア及び副コンテンションキャリアの最大総送信電力をＰＨ＝２３ｄＢｍと仮定すると、各アンライセンスキャリアの最大送信電力は、Ｐ＝２３−１０ｌｏｇ（Ｃ）＝２０ｄＢｍであり、ここで、Ｃは、アグリゲートされたアンライセンスキャリアの数である。ＣＣＡエネルギ検出閾値は、ＴＬ＝−７５＋（２３−ＰＨ）＋１０ｌｏｇ（Ｗ）＝−５９ｄＢｍであり、ここで、Ｗは、アグリゲートされた総帯域幅であり、例えば、２つの２０ＭＨｚキャリアと仮定される。
【００９８】
オプションとして、ステーションは、上述のタイプ１のＬＢＴ及びタイプ２のＬＢＴを同時に実行できる。これに代えて、ステーションは、タイプ１のＬＢＴ及びタイプ２のＬＢＴのうちの１つを選択的に実行してもよい。
【００９９】
オプションとして、主キャリア及び副キャリアに対し個別に実行されたタイプ１のＬＢＴプロセスが成功した場合、各キャリアの最大送信電力を２０ｄＢｍとして、キャリアを同時に占有してもよい。
【０１００】
オプションとして、タイプ２のＬＢＴが成功した場合、各キャリアの最大送信電力を２０ｄＢｍとして、主コンテンションキャリアと副コンテンションキャリアを同時に占有してもよい。
【０１０１】
オプションとして、タイプ１のＬＢＴが実行されるように構成され、ＬＢＴが１つのキャリアのみで成功した場合、キャリアの最大送信電力を２０ｄＢｍとして、その１つのキャリアを占有してもよい。ここで、電力ブーストを適用して、このキャリアの最大送信電力が２３ｄＢｍとなるようにしてもよい。
【０１０２】
Ａ．第１のステーションがＬＢＴパラメータに基づいてアンライセンスキャリアに対しＬＢＴを実行する際、第１のステーションは、アンライセンスキャリアに対し第３のＬＢＴを実行できる。第３のＬＢＴの実行は、アンライセンスキャリアのうち主コンテンションキャリアとして使用する１つのアンライセンスキャリアに対しｃａｔ４プロセスに基づくＬＢＴを実行することを含む。これは、アンライセンスキャリアが第２の使用スキームで使用される状況に適用できる。
【０１０３】
第１のステーションは、アンライセンスキャリアのうち主コンテンションキャリアとして使用される１つのアンライセンスキャリアの第３のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定でき、ここで、ＰＨは、アンライセンスキャリアのうち主コンテンションキャリアとして使用する１つのアンライセンスキャリアの最大送信電力値をｄＢｍで表し、Ｗは、アンライセンスキャリアのうち主コンテンションキャリアとして使用する１つのアンライセンスキャリアの帯域幅をＭＨｚで表す。
【０１０４】
オプションとして、第１のステーションがＬＢＴパラメータに基づいてアンライセンスキャリアに対しＬＢＴを実行する際、第１のステーションは、アンライセンスキャリアに対し第４のＬＢＴを実行できる。第４のＬＢＴの実行は、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。これは、アンライセンスキャリアが第２の使用スキームで使用される状況に適用できる。
【０１０５】
ここで、第１のステーションは、アンライセンスキャリアのうち（例えば、第４のアンライセンスキャリアとして示される）特定のアンライセンスキャリアについて、第４のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定でき、ここで、ＰＨは、全てのアンライセンスキャリアの最大総送信電力値をｄＢｍ単位で表し、Ｗは、全てのアンライセンスキャリアの総帯域幅をＭＨｚ単位で表す。
【０１０６】
オプションとして、第１のステーションは、アンライセンスキャリアに対し第３のＬＢＴ及び第４のＬＢＴを同時に実行することを試みてもよい。
【０１０７】
オプションとして、第１のステーションがアンライセンスキャリアに対し第４のＬＢＴを実行した後、アンライセンスキャリアに対する第４のＬＢＴが成功した場合、第１のステーションは、第２の使用スキームに基づいてアンライセンスキャリアを使用してもよい。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【０１０８】
オプションとして、第１のステーションがアンライセンスキャリアに対し第４のＬＢＴを実行した後、アンライセンスキャリアに対する第４のＬＢＴが失敗したが、アンライセンスキャリアのうち主コンテンションキャリアとして使用されるアンライセンスキャリアに対する第３のＬＢＴが成功した場合、第１のステーションは、第１の使用スキームに基づいて、アンライセンスキャリアのうちの主コンテンションキャリアとしてアンライセンスキャリアを使用してもよい。
【０１０９】
例えば、ステーションが複数のアンライセンスキャリアについて競合する場合、２つのＬＢＴタイプ及びこれらに対応するＣＣＡエネルギ検出閾値は、以下のようにすることができる。
【０１１０】
タイプ１：１つのアンライセンスキャリアのみを主コンテンションキャリアとして使用し、ＬＢＴ  ｃａｔ４は、アンライセンスキャリアにおいて個別に実行できる。主コンテンションキャリアが独立して送信され、ステーションが使用する主コンテンションキャリアの最大送信電力がＰＨ＝２３ｄＢｍであると仮定すると、ＣＣＡエネルギ検出閾値は、ＴＬ＝−７５＋（２３−ＰＨ）＋１０ｌｏｇ（Ｗ）＝−６２ｄＢｍであり、ここで、Ｗは、各アンライセンスキャリアの帯域幅（例えば、２０ＭＨｚと仮定される）を示す。
【０１１１】
タイプ２：主コンテンションキャリアに対しＬＢＴ  ｃａｔ４が実行され、副コンテンションキャリアに対し高速ＬＢＴ（ｃａｔ２）が実行される。主コンテンションキャリア及び副コンテンションキャリアの最大総送信電力をＰＨ＝２３ｄＢｍと仮定すると、各アンライセンスキャリアの最大送信電力は、Ｐ＝２３−１０ｌｏｇ（Ｃ）＝２０ｄＢｍであり、ここで、Ｃは、アグリゲートされたアンライセンスキャリアの数である。ＣＣＡエネルギ検出閾値は、ＴＬ＝−７５＋（２３−ＰＨ）＋１０ｌｏｇ（Ｗ）＝−５９ｄＢｍであり、ここで、Ｗは、アグリゲートされた総帯域幅であり、例えば、２つの２０ＭＨｚキャリアと仮定される。
【０１１２】
オプションとして、ステーションは、上述のタイプ１のＬＢＴ及びタイプ２のＬＢＴを同時に行うことができる。
【０１１３】
オプションとして、タイプ２のＬＢＴが成功した場合、各キャリアの最大送信電力を２０ｄＢｍとして、２つのキャリアを同時に占有してもよい。
【０１１４】
オプションとして、主コンテンションキャリアに対しタイプ２のＬＢＴが失敗し、タイプ１のＬＢＴが成功した場合、主コンテンションキャリアを占有してもよい。主コンテンションキャリアの送信電力は、２３ｄＢｍである。更に、副コンテンションキャリアは、単独で占有されない。
【０１１５】
上述の実施形態の説明により、上述の実施形態に基づく方法は、ソフトウェアと、必要な汎用ハードウェアプラットフォームとによって実現できることは、当業者にとって明らかである。もちろん、ハードウェアで実現することもできるが、多くの場合、前者が最適な実装形態である。この理解に基づいて、本開示の技術的解決策は、本質的に、又は従来技術に対する貢献部分は、ソフトウェア製品の形式で実現することができる。コンピュータソフトウェア製品は、ストレージ媒体（例えば、ＲＯＭ／ＲＡＭ、磁気ディスク、光ディスク）に格納でき、端末装置（携帯電話、コンピュータ、サーバ、又はネットワークデバイス等であってもよい。）に本開示の様々な実施形態に記載された方法を実行させる命令を含む。
【０１１６】
また、本開示の一実施形態では、ＬＢＴパラメータを処理するための装置が提供される。この装置は、上述の実施形態及び好ましい実施形態（詳細は省略する）を実施するために第１のステーションに適用できる。本明細書で用いる「モジュール」という用語は、所定の機能を実行できるソフトウェア、ハードウェア、又はこれらの組み合わせを意味する。以下の実施形態で説明する装置は、好ましくはソフトウェアで実現されるが、これは、ハードウェア又はソフトウェアとハードウェアの組み合わせとして実現することもできる。
【０１１７】
図３は、本開示の一実施形態に基づく、ＬＢＴパラメータを処理する装置の構成を示すブロック図である。図３に示すように、この装置は、生成モジュール３２及び送信モジュール３４を含む。
【０１１８】
生成モジュール３２は、第１のステーションがアンライセンスキャリアに対しＬＢＴを実行するために使用するパラメータを含み及び／又はＬＢＴパラメータを受け取る第２のステーションがアンライセンスキャリアに対しＬＢＴを実行するために使用するパラメータを指示するＬＢＴパラメータを生成するように構成されている。送信モジュール３４は、生成モジュール３２に接続され、ＬＢＴパラメータを送信するように構成されている。
【０１１９】
図４は、本開示の一実施形態に基づきＬＢＴパラメータを処理する装置のオプションの構造を示す第１のブロック図である。図４に示すように、この装置は、オプションとして、更に、生成モジュール３２に接続され、ＬＢＴパラメータに基づいてアンライセンスキャリアに対しＬＢＴを実行するように構成された実行モジュール４２を含むことができる。
【０１２０】
オプションとして、実行モジュール４２は、アンライセンスキャリアうちＣＷ値が最小のアンライセンスキャリアに対しｃａｔ４プロセスに基づくＬＢＴを実行し、アンライセンスキャリアのうちＣＷ値が最小のアンライセンスキャリア以外のアンライセンスキャリアに対しｃａｔ２プロセスに基づくＬＢＴを実行し、又はアンライセンスキャリアのうちＣＷ値が最大のアンライセンスキャリアに対しｃａｔ４プロセスに基づくＬＢＴを実行し、アンライセンスキャリアのうちＣＷ値が最大のアンライセンスキャリア以外のアンライセンスキャリアに対しｃａｔ２プロセスに基づくＬＢＴを実行するように構成することができる。
【０１２１】
図５は、本開示の一実施形態に基づきＬＢＴパラメータを処理する装置のオプションの構造を示す第２のブロック図である。図５に示すように、実行モジュール４２は、オプションとして、アンライセンスキャリア上でアグリゲート及び送信されるバーストを決定するように構成された第１の決定ユニット４２２と、第１の決定ユニット４２２に接続され、バーストのうちＱｏＳ優先度が最高の第１のバーストに対応する第１のＬＢＴレベルに応じて、アンライセンスキャリアに対しｃａｔ４プロセスに基づくＬＢＴを実行し、又はバーストのうちＱｏＳ優先度が最低の第２のバーストに対応する第２のＬＢＴレベルに応じて、アンライセンスキャリアに対しｃａｔ４プロセスに基づくＬＢＴを実行するように構成された第１の実行ユニット４２４を含むことができる。
【０１２２】
オプションとして、生成モジュール３２は、ＬＢＴパラメータがクリアチャネル評価（ＣＣＡ）エネルギ検出閾値を含む場合、それぞれのアンライセンスキャリアの使用スキームに基づいて各アンライセンスキャリアのＣＣＡエネルギ検出閾値を決定するように構成された第２の決定ユニットを含むことができる。使用スキームは、アンライセンスキャリアが非ＣＡモードで使用される第１の使用スキーム及びアンライセンスキャリアがＣＡモードで使用される第２の使用スキームを含む。
【０１２３】
オプションとして、実行モジュール４２は、アンライセンスキャリアに対し第１のＬＢＴを実行するように構成された第２の実行ユニットを含む。第１のＬＢＴの実行は、アンライセンスキャリアのそれぞれに対しｃａｔ４プロセスに基づくＬＢＴを個別に実行することを含む。これに代えて、実行モジュール４２は、第１のステーションによってスケジューリングされる第２のステーションにＬＢＴパラメータを送信し、又は１つのサブフレーム内でスケジューリングされた複数の第２のステーションにＬＢＴパラメータを送信するように構成してもよく、第２のステーションのために構成されたＬＢＴパラメータは、同じコンテンションウィンドウサイズ（ＣＷＳ）、同じランダムバックオフ値、又は延長期間中の同数の９μｓタイムスロットを有する。
【０１２４】
オプションとして、第２の決定ユニットは、アンライセンスキャリアのうちの第１のアンライセンスキャリアについて、第１のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成してもよく、ここで、ＰＨは、第１のアンライセンスキャリアの最大送信電力値をｄＢｍ単位で表し、Ｗは、第１のアンライセンスキャリアの帯域幅をＭＨｚ単位で表す。
【０１２５】
オプションとして、実行モジュール４２は、アンライセンスキャリアに対し第２のＬＢＴを実行する第３の実行ユニットを含むことができる。第２のＬＢＴの実行は、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。
【０１２６】
オプションとして、第２の決定ユニットは、アンライセンスキャリアの第２のアンライセンスキャリアのための第２のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成してもよく、ここで、ＰＨは、アンライセンスキャリアの最大総送信電力値をｄＢｍ単位で表し、Ｗは、アンライセンスキャリアの総帯域幅をＭＨｚ単位で表す。
【０１２７】
オプションとして、実行モジュール４２は、アンライセンスキャリアに対し第１のＬＢＴ及び第２のＬＢＴを同時に実行する第４の実行ユニットを含むことができる。
【０１２８】
図６は、本開示の一実施形態に基づきＬＢＴパラメータを処理する装置のオプションの構造を示す第３のブロック図である。図６に示すように、この装置は、オプションとして、実行モジュール４２に接続され、第１の使用スキーム又は第２の使用スキームに基づいて、アンライセンスキャリアのうち第１のＬＢＴが成功したアンライセンスキャリアを使用するように構成された第１の使用モジュール６２を更に含むことができる。アンライセンスキャリアのうち第１のＬＢＴが成功したアンライセンスキャリアが、第２の使用スキームに基づいて使用される場合、アンライセンスキャリアのうち第１のＬＢＴが成功したアンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【０１２９】
図７は、本開示の一実施形態に基づきＬＢＴパラメータを処理する装置のオプションの構造を示す第４のブロック図である。図７に示すように、この装置は、オプションとして、実行モジュール４２に接続され、アンライセンスキャリアに対する第２のＬＢＴが成功した場合、第２の使用スキームに基づいてアンライセンスキャリアを使用するように構成された第２の使用モジュール７２を含むことができる。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【０１３０】
図８は、本開示の一実施形態に基づきＬＢＴパラメータを処理する装置のオプションの構造を示す第５のブロック図である。図８に示すように、この装置は、オプションとして、実行モジュール４２に接続され、アンライセンスキャリアに対する第２のＬＢＴが失敗したが、アンライセンスキャリアの一部に対する第１のＬＢＴが成功した場合、第１の使用スキームに基づいてアンライセンスキャリアを使用するように構成された第３の使用モジュール８２を含むことができる。
【０１３１】
オプションとして、実行モジュール４２は、アンライセンスキャリアに対し第３のＬＢＴを実行するように構成された第５の実行ユニットを含むことができる。第３のＬＢＴの実行は、アンライセンスキャリアのうち主コンテンションキャリアとして使用する１つのアンライセンスキャリアに対しｃａｔ４プロセスに基づくＬＢＴを実行することを含む。
【０１３２】
オプションとして、第２の決定ユニットは、アンライセンスキャリアのうち主コンテンションキャリアとして使用する１つのアンライセンスキャリアに対し第３のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成してもよく、ここで、ＰＨは、アンライセンスキャリアのうち主コンテンションキャリアとして使用する１つのアンライセンスキャリアの最大送信電力値をｄＢｍで表し、Ｗは、アンライセンスキャリアのうち主コンテンションキャリアとして使用する１つのアンライセンスキャリアの帯域幅をＭＨｚで表す。
【０１３３】
オプションとして、実行モジュール４２は、アンライセンスキャリアに対し第４のＬＢＴを実行するように構成された第６の実行ユニットを含むことができる。第４のＬＢＴの実行は、アンライセンスキャリアのうち主コンテンションキャリアとして使用されるアンライセンスキャリアに対しｃａｔ４プロセスに基づくＬＢＴを実行し、アンライセンスキャリアのうち副コンテンションキャリアとして使用されるアンライセンスキャリアに対しｃａｔ２プロセスに基づくＬＢＴを実行することを含む。
【０１３４】
オプションとして、第２の決定ユニットは、アンライセンスキャリアの第４のアンライセンスキャリアについての第４のＣＣＡエネルギ検出閾値を、ＴＬ＝−７５＋（２３−ＰＨ）＋１０ｌｏｇ（Ｗ）又はＴＬ＝−７３＋（２３−ＰＨ）＋１０ｌｏｇ（Ｗ）として決定するように構成してもよく、ここで、ＰＨは、第１のアンライセンスキャリアの最大送信電力値をｄＢｍ単位で表し、Ｗは、アンライセンスキャリアの総帯域幅をＭＨｚ単位で表す。
【０１３５】
オプションとして、実行モジュール４２は、アンライセンスキャリアに対し第３のＬＢＴ及び第４のＬＢＴを同時に実行する第７の実行ユニットを含むことができる。
【０１３６】
図９は、本開示の一実施形態に基づきＬＢＴパラメータを処理する装置のオプションの構造を示す第６のブロック図である。図９に示すように、この装置は、オプションとして、実行モジュール４２に接続され、アンライセンスキャリアに対する第４のＬＢＴが成功した場合、第２の使用スキームに基づいてアンライセンスキャリアを使用するように構成された第４の使用モジュール９２を含むことができる。各アンライセンスキャリアの最大送信電力値は、ＰＨ−１０ｌｏｇ（Ｃ）であり、ここで、ＰＨは、アンライセンスキャリアの最大総送信電力値をｄＢｍで表し、Ｃは、アンライセンスキャリアの数を表す。
【０１３７】
図１０は、本開示の一実施形態に基づきＬＢＴパラメータを処理する装置のオプションの構造を示す第７のブロック図である。図１０に示すように、この装置は、オプションとして、実行モジュール４２に接続され、アンライセンスキャリアに対する第４のＬＢＴが失敗したが、アンライセンスキャリアのうち主コンテンションキャリアとして使用されるアンライセンスキャリアに対する第３のＬＢＴが成功した場合、第１の使用スキームに基づいて、アンライセンスキャリアのうちの主コンテンションキャリアとしてアンライセンスキャリアを使用するように構成された第５の使用モジュール１０２を含むことができる。
【０１３８】
なお、上述のモジュールのそれぞれは、ソフトウェア又はハードウェアによって実現でき、また、上述のモジュールは、以下に限定されるものではないが、同じプロセッサに設けてもよく、複数のプロセッサに分散させてもよい。
【０１３９】
本開示の一実施形態では、ソフトウェア製品が提供される。ソフトウェアは、上述の実施形態及び好ましい実施形態で説明した解決策を実行できる。
【０１４０】
本開示の一実施形態では、ストレージ媒体が提供される。この実施形態では、ストレージ媒体は、以下のステップのためのプログラムコードを格納するように構成できる。
【０１４１】
ステップＳ２０２において、第１のステーションは、第１のステーションがアンライセンスキャリアに対しＬＢＴを実行するために使用するパラメータを含み及び／又はＬＢＴパラメータを受信する第２のステーションがアンライセンスキャリアに対しＬＢＴを実行するために使用するパラメータを指示するＬＢＴパラメータを生成する。
【０１４２】
ステップＳ２０４において、第１のステーションは、ＬＢＴパラメータを送信する。
【０１４３】
これに代えて、この実施形態では、上述したストレージ媒体は、ＵＳＢディスク、ＲＯＭ（Read-Only Memory）、ＲＡＭ（Random Access Memory）、モバイルハードディスク、磁気ディスク、光ディスク、又はプログラムコードを記憶することができる他の媒体を含むことができる。
【０１４４】
本開示の実施形態をより明瞭にするために、以下では、任意の実施形態を記述及び説明する。
【０１４５】
本開示の任意の実施形態は、近接するステーションによるアンライセンスキャリア競合に起因する干渉に関連する問題を解決することができるマルチキャリアアグリゲーションのためのＬＢＴの方法を提供する。また、ＣＣＡエネルギ検出閾値を決定するスキームも提供される。
【０１４６】
スキーム１
ステーション（より一般化して言えば、アンライセンスキャリアを使用するデバイス）は、Ｘ２インタフェース、Ｓ１インタフェース、又はエアインタフェースを介して、そのステーションがアンライセンスキャリアに対しＬＢＴを実行するために使用するパラメータ、又は受信機がアンライセンスキャリアに対しＬＢＴを実行するために使用する必要があるパラメータを送信する。ここで、このパラメータは、最大ＣＷ値、最小ＣＷ値、延長期間内の９μｓＣＣＡの数、ランダムバックオフのＮ値、アンライセンスキャリア情報（例えば、キャリア識別子）、ＬＢＴの実行開始時間に関する情報、ＣＣＡエネルギ検出閾値、又は所定の最大送信電力等を含むことができる。
【０１４７】
スキーム１は、隣接するステーションが周波数再利用（frequency reuse）によって構成されている場合、アンライセンスキャリアの競合に使用できる。例えば、２つのステーションが１つのアンライセンスキャリアについて競合する場合、隣接するステーションは、ＬＢＴの実行開始時間に関する情報に基づいてＬＢＴを同時に開始し、同じＬＢＴ構成パラメータを使用する。これにより、２つのステーションは、（チャネルがクリアである間にＮ値を同時にデクリメントさせて）同時にＬＢＴを実行でき、同時にチャンネルへのアクセスを取得し、これらの間の干渉を回避できる。このスキームは、隣接するアンライセンスキャリアの競合にも使用でき、これにより、隣接周波数リーケージに起因する隣接するアンライセンスキャリア間の干渉を回避できる。
【０１４８】
ステーション１がステーション２に上述のＬＢＴ情報を送信し、ステーション２が１つのアンライセンスキャリアについてステーション１と競合する場合、ステーション２は、上述のＬＢＴパラメータに基づいて、ステーション１と同時に１つのアンライセンスキャリアの競合を開始することを決定でき、競合プロセス中に、ステーション１のＣＣＡ検出閾値に基づいて、その検出閾値及び送信電力等のパラメータを決定できる。ステーション２は、受信したＬＢＴパラメータに基づいて自らのＬＢＴパラメータを決定してもよく、又はステーション１と同じＬＢＴパラメータを直接使用してもよい。
【０１４９】
これに代えて、基地局がＵＥのためのＬＢＴパラメータを構成し、基地局によってサービスされるＵＥが統一されたＬＢＴプロセスを実行できるようにしてもよい。例えば、基地局は、１つのサブフレームでスケジューリングされるＵＥを同じｃａｔ４のＣＷサイズで、又は直接的に同じＮ値、延長期間内の同じ９μｓタイムスロット数等で構成する。この場合、アンライセンスキャリア情報及び所定の最大送信電力に関する情報を省略できる。
【０１５０】
これに代えて、隣接する基地局がアンライセンスキャリアについて競合する場合、基地局は、構成情報を互いに交換し、１つのアンライセンスキャリア、又は隣接する周波数点におけるアンライセンスキャリアに同時にアクセスできるようにし、これにより、隣接する基地局を周波数多重化できる。例えば、基地局は、Ｘ２インタフェースを介して、ＬＢＴパラメータ、例えば、ＣＷサイズ及びランダムバックオフのためのＮ値（デクリメントされたＮ値を含む。）を互いに速やかに交換できる。Ｎ値のリアルタイムの交換により、基地局間のアンライセンスキャリアへの同時アクセスを保証できる。
【０１５１】
これに代えて、隣接する基地局は、オプションとして、ＣＡスキーム又は各キャリアが独立して送信されるスキームを含むキャリア使用スキームを互いに交換してもよい。ここで、異なる使用スキームは、異なる最大送信電力及び異なるＣＣＡエネルギ検出閾値を有する。隣接する基地局間で上述の情報を直接的又は暗黙的に交換することにより、基地局は、ＬＢＴを実行する際、それぞれのＣＣＡ検出閾値、将来の送信電力（それぞれのカバレッジに直接依存する）等を決定でき、これにより、基地局間で周波数多重化を行う場合に、基地局間の干渉を最小限に抑制できる。
【０１５２】
スキーム２
ステーションが複数のアンライセンスキャリアについて競合する場合、ステーションは、ＣＷサイズが最小のキャリアについての競合にｃａｔ４プロセスを実行し、他のキャリアのそれぞれについてｃａｔ２プロセスを実行する。
【０１５３】
これに代えて、ステーションが複数のアンライセンスキャリアについて競合する場合、ＣＷサイズが最大のキャリアについての競合にｃａｔ４プロセスを実行し、他のキャリアのそれぞれについてｃａｔ２プロセスを実行する。
【０１５４】
スキーム３
ステーションが、複数のアンライセンスキャリアでバーストをアグリゲートして送信する場合、ステーションは、バースト内でＱｏＳが最高のトラフィックに対応するＬＢＴレベルに応じて、アンライセンスキャリアグリゲーションについてマルチキャリア競合プロセス（例えば、ｃａｔ４プロセス）を実行する。例えば、主コンテンションキャリアが存在する場合、ＱｏＳが最高のトラヒックに対応するＬＢＴレベルを主コンテンションキャリアに適用できる。
【０１５５】
これに代えて、ステーションが複数のアンライセンスキャリアにバーストをアグリゲートして送信する場合、ステーションは、バースト内でＱｏＳが最低のトラフィックに対応するＬＢＴレベルに応じてアンライセンスキャリアグリゲーションについてマルチキャリア競合プロセス（例えば、ｃａｔ４プロセス）を実行する。例えば、主コンテンションキャリアが存在する場合、ＱｏＳが最低のトラフィックに対応するＬＢＴレベルを主コンテンションキャリアに適用できる。
【０１５６】
スキーム４
複数のアンライセンスキャリアに亘ってＣＡが適用され、ステーションがアンライセンスキャリアのそれぞれについて個別の動作周波数点を使用する場合、アンライセンスキャリアの帯域幅にかかわらず、周波数点に対応するアンライセンスキャリアに最大送信電力２３ｄＢｍを割り当てることができる。
【０１５７】
アンライセンスキャリアは、その周波数点に応じて、電力規制を適用する必要がある。例えば、ステーションが１つの動作周波数点しか有さない４０ＭＨｚの帯域幅を使用する場合、アンライセンスキャリアの最大送信電力は、２３ｄＢｍである。ステーションが、異なる動作周波数点を有するアンライセンスキャリアがアグリゲートされる４０ＭＨｚの帯域幅を使用する場合、各動作周波数点でのアンライセンスキャリアの最大送信電力は、２３ｄＢｍである。一例として、２つの２０ＭＨｚのアンライセンスキャリアが１つの動作周波数しか有さない１つの４０ＭＨｚキャリアにアグリゲートされた場合、４０ＭＨｚキャリアの最大送信電力は、２３ｄＢｍである。４０ＭＨｚに亘ってそれぞれ２０ＭＨｚに対応する２つの動作周波数点がある場合、各周波数点に対応する２０ＭＨｚの最大送信電力は、２３ｄＢｍである。
【０１５８】
複数の周波数点で動作するステーションが単一の無線周波数（ＲＦ）リンクを使用する場合、複数のアンライセンスキャリアは、これらが異なる動作周波数点を有していても、最大２３ｄＢｍを使用できる。複数の周波数点で動作するステーションが異なるＲＦリンクを使用する場合、異なるＲＦリンク内の１又は複数のアンライセンスキャリアの最大送信電力は、２３ｄＢｍである。
【０１５９】
以下では、幾つかの例を参照して、１つの単一のステーションに適用される複数のキャリアに対する検出方法及びＣＣＡ検出閾値について説明する。
【０１６０】
ステーションは、キャリア毎に個別に又は一組のキャリアについて集合的にＣＣＡエネルギ検出閾値を設定できる。閾値は、ステーションがアンライセンスキャリアについて競合する前に、意図される使用スキームに基づいて決定できる。ここで、使用スキームとしては、例えば、複数のアクセスされたアンライセンスキャリアがＣＡモードで使用されるスキーム（オプションとして、１つの動作周波数点又はアンライセンスキャリアのそれぞれに対応する周波数点を使用してアグリゲートしてもよい。）を使用してもよく、アクセスされるアンライセンスキャリアのそれぞれを個別に送信してもよく、或いは、非ＣＡモードを適用するスキームを使用してもよい。以下、スキーム５、６及び７について説明する。
【０１６１】
スキーム５
ステーションが複数のアンライセンスキャリアについて競合するとき、２つのＬＢＴタイプ及びこれらに対応するＣＣＡエネルギ検出閾値は、以下のように定めることができる。
【０１６２】
タイプ１：競合が成功した場合、アンライセンスキャリアのそれぞれは、独立して送信される。各アンライセンスキャリアの最大送信電力（又は固定電力を使用できる。以下同様）をＰＨ＝２３ｄＢｍとすると、ＣＣＡエネルギ検出閾値は、ＴＬ＝−７５＋（２３−ＰＨ）＋１０ｌｏｇ（Ｗ）によってＴＬ＝−６２ｄＢｍと算出され、ここで、ＰＨ＝２３であり、Ｗは、各アンライセンスキャリアの帯域幅（例えば、２０ＭＨｚであると仮定される。）を示す。複数のアンライセンスキャリアのそれぞれについて個別にＬＢＴ、好ましくはＬＢＴ  ｃａｔ４が実行される。
【０１６３】
タイプ２：競合が成功した場合、複数のアンライセンスキャリアが送信のためにアグリゲートされる。最大総送信電力は、ＰＨ＝２３ｄＢｍであり、各アンライセンスキャリアの最大送信電力は、Ｐ＝２３−１０ｌｏｇ（Ｃ）＝２０ｄＢｍであり、ここで、Ｃは、アグリゲートされたアンライセンスキャリアの数である（例えば、それぞれ２０ＭＨｚと仮定される）。ステーションは、主アンライセンスコンテンションキャリアに対しＬＢＴ（ｃａｔ４）を実行し、副アンライセンスコンテンションキャリアに対し高速ＬＢＴを実行する。ＣＣＡエネルギ検出閾値は、ＴＬ＝−７５＋（２３−ＰＨ）＋１０ｌｏｇ（Ｗ）によってＴＬ＝−６２＋３＝−５９ｄＢｍと算出され、ここで、ＰＨ＝２３であり、Ｗは、アグリゲートされた総帯域幅（例えば、２つの２０ＭＨｚキャリアと仮定される。）を示す。
【０１６４】
オプションとして、ステーションは、上述のタイプ１のＬＢＴ及びタイプ２のＬＢＴを同時に行うことができる。
【０１６５】
オプションとして、タイプ１のＬＢＴが成功した場合、ステーションは、タイプ２に基づく送信を許可してもよい。
【０１６６】
オプションとして、タイプ２のＬＢＴが成功した場合、各キャリアの最大送信電力を２０ｄＢｍとして、複数のアンライセンスキャリアを同時に占有してもよい。
【０１６７】
オプションとして、タイプ２のＬＢＴが失敗したが、アンライセンスキャリアの一部についてタイプ１のＬＢＴが競合に成功した場合、アンライセンスキャリアの各キャリアの最大送信電力を２３ｄＢｍとして、アンライセンスキャリアの一部を占有してもよい。
【０１６８】
スキーム６
ステーションが複数のアンライセンスキャリアについて競合する場合、２つのＬＢＴタイプ及びこれらに対応するＣＣＡエネルギ検出閾値は、以下のようにすることができる。
【０１６９】
タイプ１：主コンテンションキャリアとして１つのアンライセンスキャリアのみが使用され、ＬＢＴ  ｃａｔ４が個別に実行されると仮定する。主コンテンションキャリアが独立して送信され、ステーションが使用する主コンテンションキャリアの最大送信電力がＰＨ＝２３ｄＢｍであると仮定すると、ＣＣＡエネルギ検出閾値は、ＴＬ＝−７５＋（２３−ＰＨ）＋１０ｌｏｇ（Ｗ）によってＴＬ＝−６２ｄＢｍと算出され、ここで、ＰＨは、２３であり、Ｗは、各アンライセンスキャリアの帯域幅（例えば、２０ＭＨｚと仮定される）を示す。
【０１７０】
タイプ２：主コンテンションキャリアに対しＬＢＴ  ｃａｔ４が実行され、副コンテンションキャリアに対し高速ＬＢＴが実行される。主コンテンションキャリア及び副コンテンションキャリアの最大総送信電力をＰＨ＝２３ｄＢｍと仮定すると、各アンライセンスキャリアの最大送信電力は、Ｐ＝２３−１０ｌｏｇ（Ｃ）＝２０ｄＢｍであり、ここで、Ｃは、アグリゲートされたアンライセンスキャリアの数である（例えば、それぞれ２０ＭＨｚと仮定される）。ＣＣＡエネルギ検出閾値は、ＴＬ＝−７５＋（２３−ＰＨ）＋１０ｌｏｇ（Ｗ）によってＴＬ＝−５９ｄＢｍと算出され、ここで、ＰＨ＝２３であり、Ｗは、アグリゲートされた総帯域幅（例えば、２つの２０ＭＨｚキャリアと仮定される）である。
【０１７１】
オプションとして、ステーションは、上述のタイプ１のＬＢＴ及びタイプ２のＬＢＴを、主コンテンションキャリアにおいて同時に実行できる。
【０１７２】
オプションとして、タイプ２のＬＢＴが成功した場合、各キャリアの最大送信電力を２０ｄＢｍとして、２つのキャリアを同時に占有してもよい。
【０１７３】
オプションとして、主コンテンションキャリアに対しタイプ２のＬＢＴが失敗し、タイプ１のＬＢＴが成功した場合、主コンテンションキャリアを占有してもよい。主コンテンションキャリアの送信電力は、２３ｄＢｍである。更に、副コンテンションキャリアは、単独で占有されない。
【０１７４】
スキーム７
ステーションが複数のアンライセンスキャリアについて競合する場合、２つのＬＢＴタイプ及びこれらに対応するＣＣＡエネルギ検出閾値は、以下のようにすることができる。
【０１７５】
タイプ１：複数のキャリアに対しＬＢＴ  ｃａｔ４が個別に実行される。複数のキャリアが送信のためにアグリゲートされていると仮定すると、ステーションが使用する各キャリアの最大送信電力は、ＰＨ＝２０ｄＢｍであり、ＣＣＡエネルギ検出閾値は、ＴＬ＝−７５＋（２３−ＰＨ）＋１０ｌｏｇ（Ｗ）によってＴＬ＝−５９ｄＢｍと算出され、ここで、ＰＨ＝２０であり、Ｗは、各アンライセンスキャリアの帯域幅（例えば、２０ＭＨｚであると仮定される）を示す。
【０１７６】
タイプ２：主コンテンションキャリアに対しＬＢＴ  ｃａｔ４が実行され、副コンテンションキャリアに対し高速ＬＢＴが実行される。主コンテンションキャリア及び副コンテンションキャリアの最大総送信電力をＰＨ＝２３ｄＢｍと仮定すると、各アンライセンスキャリアの最大送信電力は、Ｐ＝２３−１０ｌｏｇ（Ｃ）＝２０ｄＢｍであり、ここで、Ｃは、アグリゲートされたアンライセンスキャリアの数である（例えば、それぞれ２０ＭＨｚと仮定される）。ＣＣＡエネルギ検出閾値は、ＴＬ＝−７５＋（２３−ＰＨ）＋１０ｌｏｇ（Ｗ）によってＴＬ＝−５９ｄＢｍと算出され、ここで、ＰＨ＝２３であり、Ｗは、アグリゲートされた総帯域幅（例えば、２つの２０ＭＨｚキャリアと仮定される。）である。
【０１７７】
オプションとして、ステーションは、上述のタイプ１のＬＢＴ及びタイプ２のＬＢＴを同時に行うことができる。これに代えて、ステーションは、タイプ１のＬＢＴ及びタイプ２のＬＢＴのうちの１つを選択的に実行してもよい。
【０１７８】
オプションとして、主キャリア及び副キャリアに対し個別に実行されたタイプ１のＬＢＴプロセスが成功した場合、各キャリアの最大送信電力を２０ｄＢｍとして、各キャリアを同時に占有してもよい。
【０１７９】
オプションとして、タイプ２のＬＢＴが成功した場合、各キャリアの最大送信電力を２０ｄＢｍとして、主コンテンションキャリアと副コンテンションキャリアを同時に占有してもよい。
【０１８０】
オプションとして、タイプ１のＬＢＴが実行されるように構成され、ＬＢＴが１つのキャリアのみで成功した場合、キャリアの最大送信電力を２０ｄＢｍとして、その１つのキャリアを占有してもよい。ここで、電力ブーストを適用して、このキャリアの最大送信電力が２３ｄＢｍとなるようにしてもよい。
【０１８１】
上述のスキームにより、複数のアンライセンスキャリアの競合及び使用において、エネルギ検出閾値を決定し使用する方法が提供される。これにより、単一のアンライセンスキャリアに対する競合をサポートしながら、複数のアンライセンスキャリアの競合を柔軟にサポートできる。これにより、アンライセンスキャリアのための従来のマルチキャリア競合メカニズムを改善し、対応するアンライセンスキャリアについての規制要件を満たしながら、アンライセンスキャリアに対するマルチキャリア競合を達成できる。
【０１８２】
上述のスキーム５〜７では、ステーションは、所与の最大送信電力及び送信帯域幅からＴＬ値を導出できる。しかしながら、異なるノード間の周波数再利用等の要因により、ＴＬ値は、特定の範囲に属することが好ましい。これに代えて、その範囲内の特定の値を最終的なＴＬ値として直接使用してもよい。
【０１８３】
ここで、ＣＣＡエネルギ検出閾値（ＣＣＡ−ＥＤ  ＴＬ）を決定するために、ＴＬの上限と下限は、以下のように設定できる。
【０１８４】
ＣＣＡ−ＥＤ  ＴＬの下限：ＴＬｌｏｗ＝Ｑ＋１０ｌｏｇ（２０）
ＣＣＡ−ＥＤ  ＴＬの上限：ＴＬｕｐ＝Ｑ＋（２３−ＰＨ）＋１０ｌｏｇ（Ｗ）
ここで、ＴＬｌｏｗは、１つの単一キャリアに対する最大送信電力におけるＴＬ値であり、パラメータＱは、好ましくは、Ｑ＝−７３又はＱ＝−７５であり、Ｑは、別の値でもよく、Ｗは、送信のための動作周波数に一対一で対応するＭＨｚ単位の送信のためのキャリアの最大帯域幅であり、ＰＨは、ステーションによって実際に送信される最大送信電力である。
【０１８５】
上述のスキーム５〜７において、各キャリアのＴＬ値又はＴＬ範囲は、互いに独立していてもよい。
【０１８６】
例えば、Ｑ値が−７３のとき、ステーションの総帯域幅が８０ＭＨｚであり、各キャリアが２０ＭＨｚの帯域幅に対応すると仮定すると、各キャリア又はチャネルに対応するＴＬ値の上限及び下限は、次のように算出できる。
【０１８７】
ＴＬｌｏｗ＝−７３＋１０ｌｏｇ（２０）＝−６０
ＴＬｕｐ＝−７３＋（２３−ＰＨ）＋１０ｌｏｇ（Ｗ）＝−３７−ＰＨ
オプションとして、限界値は、第１のキャリア又はチャネルに対応する２０ＭＨｚについて｛−６０ｄＢｍ，−３７−ＰＨ｝、第２のキャリア又はチャネルに対応する２０ＭＨｚについて｛−６０ｄＢｍ，−３７−ＰＨ｝、第３のキャリア又はチャネルに対応する２０ＭＨｚについて｛−６０ｄＢｍ，−３７−ＰＨ｝、第４のキャリア又はチャネルに対応する２０ＭＨｚについて｛−６０ｄＢｍ，−３７−ＰＨ｝としてもよく、ここで、ＰＨは、ステーションによって実際に送信される最大送信電力であり、Ｗは、送信のための動作周波数に一対一で対応するＭＨｚ単位の送信のためのキャリアの最大帯域幅である。
【０１８８】
上述のスキーム５〜７において、各キャリアのＴＬ値又はＴＬ範囲は、Ｗｉ−Ｆｉ（Wireless Fidelity）システムで使用されるものと同様であってもよい。
【０１８９】
ステーションの総帯域幅が１６０ＭＨｚであると仮定すると、各キャリア又はチャネルに対応するＴＬ値の上限及び下限は、次のように算出できる。
【０１９０】
ＴＬｌｏｗ＝−７３＋１０ｌｏｇ（２０）＝−６０
ＴＬｕｐ＝−７３＋（２３−ＰＨ）＋１０ｌｏｇ（Ｗ）＝−５０−ＰＨ＋１０ｌｏｇ（Ｗ）
オプションとして、限界値は、第１のキャリア又はチャネルに対応する２０ＭＨｚのＰＣＨについて｛−６０ｄＢｍ，−３７−ＰＨ｝、第２のキャリア又はチャネルに対応する２０ＭＨｚのＳＣＨについて｛−６０ｄＢｍ，−３７−ＰＨ｝、第３のキャリア又はチャネルに対応する４０ＭＨｚのＳＣＨについて｛−６０ｄＢｍ，−３４−ＰＨ｝、第４のキャリア又はチャネルに対応する８０ＭＨｚのＰＣＨについて｛−６０ｄＢｍ，−３１−ＰＨ｝としてもよく、ここで、ＰＨは、ステーションによって実際に送信される最大送信電力であり、Ｗは、送信のための動作周波数に一対一で対応するＭＨｚ単位の送信のためのキャリアの最大帯域幅である。
【０１９１】
上述のスキーム５〜７において、各キャリアのＴＬ値又はＴＬ範囲は、これらの帯域幅に柔軟に結びつけることができる。
【０１９２】
ステーションの総帯域幅が１６０ＭＨｚであると仮定すると、各キャリア又はチャネルに対応するＴＬ値の上限及び下限は、次のように算出できる。
【０１９３】
ＴＬｌｏｗ＝−７３＋１０ｌｏｇ（２０）＝−６０
ＴＬｕｐ＝−７３＋（２３−ＰＨ）＋１０ｌｏｇ（Ｗ）＝−５０−ＰＨ＋１０ｌｏｇ（Ｗ）
オプションとして、限界値は、第１のキャリア又はチャネルに対応する２０ＭＨｚのＰＣＨについて｛−６０ｄＢｍ，−３７−ＰＨ｝、第２のキャリア又はチャネルに対応する４０ＭＨｚのＳＣＨについて｛−６０ｄＢｍ，−３４−ＰＨ｝、第３のキャリア又はチャネルに対応する２０ＭＨｚのＳＣＨについて｛−６０ｄＢｍ，−３７−ＰＨ｝、第４のキャリア又はチャネルに対応する８０ＭＨｚのＳＣＨについて｛−６０ｄＢｍ，−３１−ＰＨ｝としてもよく、ここで、ＰＨは、ステーションによって実際に送信された最大送信電力であり、Ｗは、送信のための動作周波数に一対一で対応するＭＨｚ単位の送信のためのキャリアの最大帯域幅である。
【０１９４】
上述のスキーム５〜７において、各キャリアのＴＬ値又はＴＬ範囲は、均等な又は不均等な電力に基づくことができる。
【０１９５】
ここで、この例では、各キャリアのＴＬ値又はＴＬ範囲は、互いに独立している。この例における計算は、各キャリアのＴＬ値又はＴＬ範囲がＷｉ−Ｆｉシステムのものと同様の状況に適用でき、また、各キャリアのＴＬ値又はＴＬ範囲がこれらの帯域幅に柔軟に結び付けられる状況にも適用でき、これ以上の詳細な説明は省略する。
【０１９６】
ステーションの最大送信電力が２３ｄＢｍであると仮定すると、均等な電力割当のために、各キャリア又はチャネルについて、ＰＨ＝１７ｄＢｍとする。オプションとして、限界値は、第１のキャリア又はチャネルに対応する２０ＭＨｚについて｛−６０ｄＢｍ，−５４ｄＢｍ｝、第２のキャリア又はチャネルに対応する２０ＭＨｚについて｛−６０ｄＢｍ，−５４ｄＢｍ｝、第３のキャリア又はチャネルに対応する２０ＭＨｚについて｛−６０ｄＢｍ，−５４ｄＢｍ｝、第４のキャリア又はチャネルに対応する２０ＭＨｚについて｛−６０ｄＢｍ，−５４ｄＢｍ｝としてもよい。
【０１９７】
ステーションの最大送信電力が２３ｄＢｍであると仮定すると、不均等な電力割当のために、各キャリア又はチャネルのＰＨ値は、２０ｄＢｍ、１７ｄＢｍ、１４ｄＢｍ及び１４ｄＢｍである。なお、これらの不均等な電力値は、単なる例であり、他の値であってもよい。
【０１９８】
オプションとして、限界値は、第１のキャリア又はチャネルに対応する２０ＭＨｚについて｛−６０ｄＢｍ，−５７ｄＢｍ｝、第２のキャリア又はチャネルに対応する２０ＭＨｚについて｛−６０ｄＢｍ，−５４ｄＢｍ｝、第３のキャリア又はチャネルに対応する２０ＭＨｚについて｛−６０ｄＢｍ，−５１ｄＢｍ｝、第４のキャリア又はチャネルに対応する２０ＭＨｚについて｛−６０ｄＢｍ，−５１ｄＢｍ｝としてもよい。
【０１９９】
この実施形態において上述した異なるスキームの全部又は一部は、異なる具体例に矛盾が生じない限り、組み合わせることができる。スキーム５−７の式ＴＬ＝−７５＋（２３−ＰＨ）＋１０ｌｏｇ（Ｗ）の計算において、−７５を−７３に置き換えてもよい。
【０２００】
スキーム８
本開示の任意の実施形態では、１又は複数のアンライセンスキャリアのためにＣＷを調整する方法が提供される。これは、単一のアンライセンスキャリアについての競合で使用でき、又は複数のキャリアがアグリゲートされる場合、複数のアンライセンスキャリアについての競合で使用できる。以下、この方法を基地局に適用した場合について説明する。但し、この方法は、ＵＥにも適用できる。
【０２０１】
図１１は、本開示のオプションの実施形態に基づきＣＷを調整する方法を示すフローチャートである。図１１に示すように、この方法は、以下のステップを含む。
【０２０２】
ステップＳ１１０２において、アンライセンスキャリアに対しＬＢＴを実行する際、ステーションは、Ｋを０より大として、アンライセンスキャリアを使用していない時間長が所定の時間長Ｋ以下であるか否かを判定する。
【０２０３】
ステップＳ１１０４において、判定結果がイエスの場合、ステーションは、アンライセンスキャリアのＣＷを調整する。
【０２０４】
オプションとして、判定結果がノーであれば、この方法は、更に、ステーションが、所定の長さ又は最後のＣＷと同じ長さのＣＷを使用してＬＢＴを実行するステップを更に含む。
【０２０５】
以上のステップにより、基地局（又はＵＥ）がＬＢＴを実行する際、基地局は、アンライセンスキャリア１を使用してデータ送信を行っていない時間長（又は、アンライセンスキャリア１を使用していない時間長）を判定する。時間長がＫより短い（又は等しい）場合、基地局は、Ａに進み、これ以外の場合は、Ｂに進む。
【０２０６】
Ａ．基地局は、現在のＬＢＴの前の時間長Ｋ以内に有効なハイブリッド自動再送要求（Hybrid Automatic Repeat reQuest：ＨＡＲＱ）−肯定応答（Acknowledgement：ＡＣＫ）フィードバック情報が受信された１つ以上の参照サブフレームに基づいて、現在のＣＷＳを調整する。
【０２０７】
これに代えて、基地局は、現在のＬＢＴの時間長Ｋ以内であって、時間長Ｋ１以外で有効なＨＡＲＱ−ＡＣＫフィードバック情報が受信された１つ以上の参照サブフレームに基づいて、現在のＣＷＳを調整する。
【０２０８】
Ｂ．基地局は、デフォルトのＣＷＳ（例えば、最小ＣＷ）又は最後のＣＷを使用する。
【０２０９】
オプションとして、ステーションによるアンライセンスキャリアのＣＷの調整は、ステーションが参照サブフレームについてのＨＡＲＱ−ＡＣＫフィードバック情報に基づいてＣＷを調整することを含む。
【０２１０】
オプションとして、参照サブフレームは、ＬＢＴを実行する前に時間長Ｋ以内に受信した有効なＨＡＲＱ−ＡＣＫフィードバック情報に対応する１つ以上のサブフレーム、又はＬＢＴを実行する前に時間長Ｋ以内であるがＫ１以上で受信した有効なＨＡＲＱ−ＡＣＫフィードバック情報に対応する１つ以上のサブフレームを含むことができ、ここで、０＜Ｋ１＜Ｋである。
【０２１１】
オプションとして、参照サブフレームに対するＨＡＲＱ−ＡＣＫフィードバック情報に基づいてＣＷを調整する動作は、ＨＡＲＱ−ＡＣＫフィードバック情報内の非肯定応答（Non-Acknowledgement：ＮＡＣＫ）の割合が所定の割合Ｐ以上である場合はＣＷ長を長くし、ＨＡＲＱ−ＡＣＫフィードバック情報におけるＮＡＣＫの割合が所定の割合Ｐよりも小さい場合には、ＣＷ長を短くすることを含む。
【０２１２】
オプションとして、ステーションがＣＷ長を短くすることは、ステーションがＣＷ長を所定の長さ、例えば、最小ＣＷに調整することを含む。
【０２１３】
オプションとして、所定の比率Ｐは、１０％、５０％、７５％又は１００％のうちの１つの値であってもよい。
【０２１４】
オプションとして、Ｋの値は、一定の値であってもよい。
【０２１５】
オプションとして、Ｋの値は、競合の公平性及び／又は所望の競合確率に基づいて決定してもよい。例えば、Ｋの値は、シミュレーションによって取得してもよい。例えば、Ｋは、主に競合の公平性及び所望の競合確率の２つの因子に基づいて決定してもよい。したがって、競合の公平性と所望の競合確率が与えられた所与のシステムでは、Ｋの特定の値は、シミュレーションによって決定できる。
【０２１６】
オプションとして、Ｋの値は、ステーションが所定のＫの値の集合から選択してもよい。
【０２１７】
オプションとして、Ｋの値は、Ｓ１インタフェース、Ｘ２インタフェース及び／又はエアインタフェースを介して、ステーションと他のステーションとの間で交換できる。
【０２１８】
オプションとして、アンライセンスキャリアを使用していない時間長が所定の時間長Ｋ以下であることを判定する前に、ステーションは、相手ステーションから送信された相手ステーションのＫの値を受信し、ステーションのＫの値を相手ステーションのＫの値に等しくなるように設定してもよい。これにより、異なる基地局間でＫの値が交換されると、副基地局は、そのＫの値を、受信した主基地局のＫの値に等しくなるように設定できる。
【０２１９】
オプションとして、上述の参照サブフレームは、以下に限定されるものではないが、以下を含むことができる。
【０２２０】
１．受信したＨＡＲＱ−ＡＣＫフィードバック情報に対応するサブフレームのうちの最初又は最後のサブフレーム
２．受信したＨＡＲＱ−ＡＣＫフィードバック情報に対応する全てのサブフレーム
３．ＬＢＴを実行する前に時間長Ｋ以内に受信した最後のダウンリンク（ＤＬ）バーストの最後のサブフレーム
４．ＬＢＴを実行する前に時間長Ｋ以内に受信した最後のＤＬバーストの最初のサブフレーム
５．ＬＢＴを実行する前に時間長Ｋ以内に受信した最後の有効なＨＡＲＱ−ＡＣＫフィードバック情報に対応するサブフレーム
６．ＬＢＴを実行する前にＫ以内であるがＫ１以上である時間内に受信した最後の有効なＨＡＲＱ−ＡＣＫフィードバック情報に対応するサブフレーム
７．ＬＢＴを実行する前の時間長Ｋ以内の１つのＤＬバースト内の複数のサブフレーム
８．ＬＢＴを実行する前の時間長Ｋ以内に受信したＨＡＲＱ−ＡＣＫフィードバック情報に対応する複数のＤＬバースト内の複数のサブフレーム
９．ＬＢＴを実行する前に時間長Ｋ以内に受信したＨＡＲＱ−ＡＣＫフィードバック情報に対応する複数のＤＬバーストのうちの最後の少なくとも２つのサブバースト内の複数のサブフレーム
１０．ＬＢＴを実行する前に時間長Ｋ以内に受信したＨＡＲＱ−ＡＣＫフィードバック情報に対応する複数のＤＬバーストのうちの最後の少なくとも２つのＤＬバーストの１つのサブフレーム。例えば、時間長Ｋ以内の最後の少なくとも２つのＤＬバーストの１つのサブフレームをＡ項のサブフレームとして使用できる。例えば、最大占有時間長が４ｍｓである規制地域では、ＬＴＥシステムにおけるＨＡＲＱ−ＡＣＫフィードバックは、４ｍｓを要するので、時間長Ｋの最後のバーストの直後に基地局がＬＢＴを行った場合、基地局は、そのバーストに対応するＨＡＲＱ−ＡＣＫフィードバックを受信できない。したがって、このスキームを実行可能にするためには、これは、最後の少なくとも２つのＤＬバーストでなければならない（２という数は、単なる例であり、１より大きい任意の数、例えば、３又は４であってもよい）。
【０２２１】
１１．ＬＢＴを実行する前の時間長Ｋ以内に受信したＨＡＲＱ−ＡＣＫフィードバック情報に対応する複数のＤＬバーストの最後の１つのサブフレーム
１２．ＬＢＴを実行する前の時間長Ｋ以内に受信したＨＡＲＱ−ＡＣＫフィードバック情報に対応する最後の少なくとも２つのバースト内の複数のサブフレーム
オプションとして、基地局が時間長Ｋ以内にＤＬ送信を有するが、ＤＬ送信に対応するＨＡＲＱ−ＡＣＫフィードバックが受信機によってタイムリーに送信されていない場合、基地局は、最後のＣＷ又はデフォルトＣＷ（例えば、最小ＣＷ）を使用できる。例えば、基地局が現在のＬＢＴを実行する際、基地局が時間長Ｋ以内に最後の１、２、３又は４サブフレームでＤＬバーストを送信した後、受信機がＤＬバーストに対応するＨＡＲＱ−ＡＣＫを送信していない場合、基地局は、ＨＡＲＱ−ＡＣＫ情報を受信していないと判断し、ＨＡＲＱ−ＡＣＫ統計では、これらのサブフレームを考慮しない。これは、受信機がＤＬバーストを受信して処理するために、幾らかの時間がかかるためである。例えば、ＬＴＥ仕様では４ｍｓの処理時間が必要となるため、０ｍｓで送信されたＤＬバーストに対応するＨＡＲＱ−ＡＣＫフィードバック情報は、４ｍｓ以降に受信される。
【０２２２】
オプションとして、Ｋの値は、１つのＤＬバーストの時間長以上にしてもよい。
【０２２３】
オプションとして、Ｋの値は、アンライセンスキャリアを一度に占有できる最大時間長の倍数としてもよく、この最大時間長は、システムであらかじめ定義され、ある地域に対して指定されている（例えば、５ＧＨｚの周波数帯域でアンライセンスキャリアを一度に占有できる最大時間長は、ヨーロッパでは、１３ｍｓと定められている）。例えば、Ｋの値は、システム又は地域の規制によって指定されている、アンライセンスキャリアを一度に占有できる最大時間長の数倍にしてもよい。例えば、指定されている最大時間長が１３ｍｓの場合、Ｋの値は、ｍ＊１３以上とすることができ、ここで、ｍは、３以上である。例えば、システムの指定された最大時間長が１０ｍｓの場合、Ｋの値は、ｍ＊１０以上とすることができ、ここで、ｍは、３以上である。他の例として、システムの指定された最大時間長が４ｍｓの場合、Ｋの値は、ｍ＊４以上とすることができ、ここで、ｍは、３以上である。
【０２２４】
オプションとして、Ｋ１の値は、システムによって異なる場合がある。例えば、Ｋ１は、ＬＴＥシステムの場合、４ｍｓとすることができる。
【０２２５】
上述のスキーム１−８は、組み合わせてもよい。
【０２２６】
上述のスキーム８は、更に、以下のように説明できる。
【０２２７】
本開示の任意の実施形態では、１又は複数のアンライセンスキャリアのためにＣＷを調整する方法が提供される。これは、単一のアンライセンスキャリアについての競合で使用でき、又は複数のキャリアがアグリゲートされる場合、複数のアンライセンスキャリアについての競合で使用できる。
【０２２８】
基地局（又はＵＥ）がＬＢＴを実行する際、基地局は、アンライセンスキャリア１を使用してデータ送信を行っていない時間長（又は、アンライセンスキャリア１を使用していない時間長）を判定する。時間長がＫより短い（又は等しい）場合、基地局は、Ａに進み、これ以外の場合は、Ｂに進む。
【０２２９】
Ａ．基地局は、現在のＬＢＴの前の時間長Ｋ以内に有効なＨＡＲＱ−ＡＣＫフィードバック情報が受信された（有効な）１つ以上の参照サブフレームに基づいて、現在のＣＷＳを調整する。
【０２３０】
これに代えて、基地局は、現在のＬＢＴの時間長Ｋ以内であって、時間長Ｋ１以外で有効なＨＡＲＱ−ＡＣＫフィードバック情報が受信された（有効な）１つ以上の参照サブフレームに基づいて、現在のＣＷＳを調整する。
【０２３１】
Ｂ．基地局は、デフォルトのＣＷＳ（例えば、最小ＣＷ）又は最後のＣＷを使用する。
【０２３２】
オプションとして、ＣＷＳは、ＨＡＲＱ−ＡＣＫフィードバック情報に基づいて調整してもよい。具体的には、受信されたＨＡＲＱ−ＡＣＫフィードバック情報の少なくともＰ％がＮＡＣＫである場合、ステーションは、ＣＷの長さを増加させ、この他の場合、ＣＷを最小ＣＷとして設定する。ここで、Ｐ％は、｛１０％，５０％，７５％，１００％｝のいずれかとしてもよい。
【０２３３】
オプションとして、Ｋの値は、一定の値であってもよい。Ｋの値は、シミュレーションによって取得してもよい。例えば、Ｋは、主に競合の公平性及び所望の競合確率の２つの因子に基づいて決定してもよい。したがって、競合の公平性と所望の競合確率が与えられた所与のシステムでは、Ｋの特定の値は、シミュレーションによって決定できる。
【０２３４】
オプションとして、システムがＫの値の集合を設定し、ステーションがこの組から１つの値を選択し、これを基地局のためのＫの値として設定するようにしてもよい。
【０２３５】
オプションとして、Ｋの値は、Ｓ１インタフェース及びＸ２インタフェースを介して、異なる基地局間で交換してもよい。
【０２３６】
異なる基地局間でＫの値が交換されると、副基地局は、そのＫの値を、受信した主基地局のＫの値に等しくなるように設定できる。
【０２３７】
オプションとして、上述のＡ項の１つのサブフレームは、最初又は最後に受信されたサブフレーム内におけるＨＡＲＱ−ＡＣＫであってもよい。
【０２３８】
オプションとして、上述のＡ項のサブフレームは、ＨＡＲＱ−ＡＣＫが受信された全てのサブフレームであってもよい。
【０２３９】
オプションとして、上述したＡ項の最後のサブフレームは、時間長Ｋ以内の最後のＤＬバースト内のものであってもよい。
【０２４０】
オプションとして、上述したＡ項の１つのサブフレームは、時間長Ｋ以内に受信された最後のＤＬバースト内の最初のサブフレームであってもよい。
【０２４１】
オプションとして、上述のＡ項の１つのサブフレームは、今回、基地局がＬＢＴの実行を開始した時点から時間長Ｋ以内に有効なＨＡＲＱ−ＡＣＫが受信された最後のサブフレームであってもよい。
【０２４２】
オプションとして、上述のＡ項の１つのサブフレームは、基地局が現在のＬＢＴを開始してから時間長Ｋ以内であって時間長Ｋ１以外で有効なＨＡＲＱ−ＡＣＫが受信された最後のサブフレームであってもよい。
【０２４３】
オプションとして、基地局が時間長Ｋ以内にＤＬ送信を有するが、ＤＬ送信に対応するＨＡＲＱ−ＡＣＫフィードバックが受信機によってタイムリーに送信されていない場合、基地局は、最後のＣＷ又はデフォルトＣＷ（例えば、最小ＣＷ）を使用できる。例えば、基地局が現在のＬＢＴを実行する際、基地局が時間長Ｋ以内に最後の１、２、３又は４サブフレームでＤＬバーストを送信した後、受信機がＤＬバーストに対応するＨＡＲＱ−ＡＣＫを送信していない場合、基地局は、ＨＡＲＱ−ＡＣＫ情報を受信していないと判断し、ＨＡＲＱ−ＡＣＫ統計では、これらのサブフレームを考慮しない。これは、受信機がＤＬバーストを受信して処理するために、幾らかの時間がかかるためである。例えば、ＬＴＥ仕様では４ｍｓの処理時間が必要となるため、０ｍｓで送信されたＤＬバーストに対応するＨＡＲＱ−ＡＣＫフィードバック情報は、４ｍｓ以降に受信される。
【０２４４】
オプションとして、Ｋ１の値は、システムによって異なる場合がある。例えば、ＬＴＥシステムの場合、Ｋ１は、４ｍｓとすることができる。
【０２４５】
オプションとして、上述したＡ項のサブフレームは、時間長Ｋ以内の１つのＤＬバースト内の複数のサブフレームであってもよい。
【０２４６】
オプションとして、上述のＡ項のサブフレームは、ＨＡＲＱ−ＡＣＫが時間長Ｋ以内に受信される複数のＤＬバースト内の複数のサブフレームであってもよい。
【０２４７】
オプションとして、好ましくは、上述のＡ項のサブフレームが時間長Ｋ以内の複数のＤＬバーストに分散される場合、複数のＤＬバーストのうちの最後のＤＬバースト内の複数のサブフレームをＡ項のサブフレームとして使用してもよい。
【０２４８】
オプションとして、好ましくは、上述のＡ項のサブフレームが時間長Ｋ以内の複数のＤＬバーストに分散される場合、複数のＤＬバーストのうちの最後の少なくとも２つのバーストの複数のサブフレームをＡ項のサブフレームとして使用してもよい。
【０２４９】
オプションとして、好ましくは、時間長Ｋ以内の最後の少なくとも２つのＤＬバースト内の複数のサブフレームをＡ項のサブフレームとして使用してもよい。
【０２５０】
オプションとして、好ましくは、時間長Ｋ以内の最後の少なくとも２つのＤＬバーストのうちの１つのサブフレームをＡ項の１つのサブフレームとして使用してもよい。例えば、最大占有時間長が４ｍｓである規制地域では、ＬＴＥシステムにおけるＨＡＲＱ−ＡＣＫフィードバックは、４ｍｓを要するため、時間長Ｋの最後のバーストの直後に基地局がＬＢＴを行った場合、基地局は、そのバーストに対応するＨＡＲＱ−ＡＣＫフィードバックを受信できない。したがって、このスキームを実行可能にするためには、これは、最後の少なくとも２つのＤＬバーストでなければならない（２という数は、単なる例であり、１より大きい任意の数、例えば、３又は４であってもよい）。
【０２５１】
オプションとして、Ｋの値は、１つのＤＬバーストの時間長以上になるように設定してもよい。
【０２５２】
オプションとして、Ｋの値は、システムであらかじめ定義されている、又は地域に対して指定されている１つの占有の最大時間長の倍数として設定してもよい。例えば、指定された最大時間長が１３ｍｓの場合、Ｋの値は、ｍ＊１３以上とすることができ、ｍは、３以上である。例えば、システムが指定した最大時間長が１０ｍｓの場合、Ｋの値は、ｍ＊１０以上とすることができ、ここで、ｍは、３以上である。他の例として、システムが指定した最大時間長が４ｍｓの場合、Ｋの値は、ｍ＊４以上とすることができ、ここで、ｍは、３以上である。
【０２５３】
本開示の一実施形態によれば、ＣＷを調整するための装置も提供される。この装置は、上述の実施形態及び好ましい実施形態（ここでは詳細を省略する。）を実施するためにステーションに適用できる。本明細書で用いる「モジュール」という用語は、所定の機能を実行できるソフトウェア、ハードウェア、又はこれらの組み合わせを意味する。以下の実施形態で説明する装置は、好ましくはソフトウェアで実現されるが、これは、ハードウェア又はソフトウェアとハードウェアの組み合わせとして実現することもできる。
【０２５４】
図１２は、本開示のオプションの実施形態に基づきＣＷを調整する装置の構造を示すブロック図である。図１２に示すように、装置は、ステーション（例えば、基地局又はＵＥ）に適用できる。この装置は、決定モジュール１２２と調整モジュール１２４とを含む。
【０２５５】
決定モジュール１２２は、アンライセンスキャリアに対しＬＢＴを実行する際、Ｋを０より大として、アンライセンスキャリアを使用していない時間の長さが所定の時間長Ｋ以下であるか否かを判定するように構成されている。
【０２５６】
調整モジュール１２４は、決定モジュール１２２に接続され、判定結果がイエスの場合、アンライセンスキャリアのＣＷを調整するように構成されている。
【０２５７】
本開示における上述のモジュール又はステップは、汎用コンピューティングデバイスによって実現してもよく、単一のコンピューティングデバイスに集中化してもよく、複数のコンピューティングデバイスのネットワーク上に分散させてもよいことは、当業者には明らかである。オプションとして、これらは、ストレージデバイスに格納することができ、１又は複数のコンピューティングデバイスによって実行できるコンピュータ実行可能プログラムコードによって実現できる。幾つかの場合、ここに示され説明したステップは、上述したものと異なる順序で実行してもよい。これに代えて、これらは、個々の集積回路モジュールで個別に実現してもよく、１又は複数のモジュール又はステップを１つの単一集積回路モジュールで実現してもよい。したがって、本開示は、特定のハードウェア、ソフトウェア、及びこれらの組み合わせに限定されない。
【０２５８】
以上は、本開示の好ましい実施形態の単なる例示であり、本開示を限定するものではない。当業者は、様々な変更及び修正を行うことができる。本開示の精神及び原理から逸脱することなく行われる全ての変更、同等の代替又は改良は、本開示の範囲に含まれる。
【０２５９】
産業上の利用可能性
上述したように、本開示の実施形態は、ＬＢＴパラメータを処理する方法、コンテンションウィンドウを調整する方法、及び関連する装置を提供し、以下のような有利な効果がある。第１のステーションは、第１のステーションがアンライセンスキャリアに対しＬＢＴを実行するために使用するパラメータを含み及び／又はＬＢＴパラメータを受信する第２のステーションがアンライセンスキャリアに対しＬＢＴを実行するために使用するパラメータを指示するＬＢＴパラメータを生成する。第１のステーションは、ＬＢＴパラメータを送信する。本開示の実施形態により、隣接するステーションによるアンライセンスキャリアの競合に起因する干渉に関連する問題を解決でき、これにより、隣接するステーションによるアンライセンスキャリアの競合に起因する隣接するステーション間の干渉を回避できる。
【図１】
2018536346.tif 000003
【図２】
2018536346.tif 000004
【図３】
2018536346.tif 000005
【図４】
2018536346.tif 000006
【図５】
2018536346.tif 000007
【図６】
2018536346.tif 000008
【図７】
2018536346.tif 000009
【図８】
2018536346.tif 000010
【図９】
2018536346.tif 000011
【図１０】
2018536346.tif 000012
【図１１】
2018536346.tif 000013
【図１２】
2018536346.tif 000014
【国際調査報告】
2018536346.tif 000015
2018536346.tif 000016
2018536346.tif 000017
2018536346.tif 000018